(57)【要約】【課題】情報センタから取得した情報の絞り込みを使用者の嗜好情報に基づいて行うことにより、使用者の嗜好に応じた情報を使用者に一層分かり易く、的確に提供することができる端末装置を提供すること。【解決手段】情報センタ３０から配信される各種情報を取得する情報取得手段を備えた端末装置１０において、使用者の嗜好情報を記憶するための嗜好情報記憶手段と、嗜好情報記憶手段に記憶されている嗜好情報に基づいて、各種情報の中から嗜好情報に該当する情報を抽出する情報抽出手段と、情報抽出手段により抽出された情報を出力する情報出力手段とを装備する。【選択図】  図１
2005037141.tif 000002
【特許請求の範囲】
【請求項１】
センタ端末から配信される各種情報を取得する情報取得手段を備えた端末装置において、
使用者の嗜好情報を記憶するための嗜好情報記憶手段と、
該嗜好情報記憶手段に記憶されている前記嗜好情報に基づいて、前記各種情報の中から前記嗜好情報に該当する情報を抽出する情報抽出手段と、
該情報抽出手段により抽出された情報を出力する情報出力手段とを備えていることを特徴とする端末装置。
【請求項２】
前記嗜好情報を設定するための嗜好情報設定手段を備えていることを特徴とする請求項１記載の端末装置。
【請求項３】
前記情報抽出手段が、前記各種情報の中から前記嗜好情報に該当しない情報を削除することにより前記嗜好情報に該当する情報の抽出を行うものであることを特徴とする請求項１又は請求項２記載の端末装置。
【請求項４】
前記情報出力手段が、前記情報抽出手段により抽出された情報を表示出力する表示出力手段を含むものであることを特徴とする請求項１〜３のいずれかの項に記載の端末装置。
【請求項５】
前記情報出力手段が、前記情報抽出手段により抽出された情報を音声出力する音声出力手段をさらに含むものであることを特徴とする請求項４記載の端末装置。
【請求項６】
少なくとも移動地点情報とその日時情報とを含む履歴情報を記憶する履歴情報記憶手段と、
該履歴情報記憶手段により記憶された前記履歴情報に基づいて使用者の嗜好情報を作成する第１の嗜好情報作成手段と、
該第１の嗜好情報作成手段により作成された前記嗜好情報を前記嗜好情報記憶手段に登録する第１の嗜好情報登録手段とを備え、
前記情報抽出手段が、前記各種情報の中から前記嗜好情報に該当する情報を抽出するものであることを特徴とする請求項１〜５のいずれかの項に記載の端末装置。
【請求項７】
前記第１の嗜好情報作成手段が、時間帯別、曜日別、及び／又は地図エリア別に前記嗜好情報を作成するものであることを特徴とする請求項６記載の端末装置。
【請求項８】
前記第１の嗜好情報作成手段が、各移動地点における滞在時間の長さに基づいて前記嗜好情報を作成するものであり、
前記情報抽出手段が、前記各種情報の中から滞在時間の長い移動地点周辺の情報を、該滞在時間の長い移動地点からの距離に応じてランク付けして抽出するものであることを特徴とする請求項６記載の端末装置。
【請求項９】
前記第１の嗜好情報作成手段が、各移動地点における滞在時間の長さに基づいて前記嗜好情報を作成するものであり、
前記情報抽出手段が、滞在時間の長い移動地点での滞在時間帯に基づいて、前記各種情報の中から前記滞在時間の長い移動地点周辺の情報をランク付けして抽出するものであることを特徴とする請求項６記載の端末装置。
【請求項１０】
前記各種情報が表示される時間を単位情報毎に計時する表示時間計時手段と、
該表示時間計時手段により計時された単位情報毎の表示時間に基づいて、該表示時間の長さに応じてランク付けされた使用者の嗜好情報を作成する第２の嗜好情報作成手段と、
該第２の嗜好情報作成手段により作成された前記嗜好情報を前記嗜好情報記憶手段に登録する第２の嗜好情報登録手段とを備え、
前記情報抽出手段が、前記各種情報の中から前記嗜好情報に該当する情報をランク順に抽出するものであることを特徴とする請求項４又は請求項５記載の端末装置。
【請求項１１】
少なくとも目的地設定回数を含む目的地情報を記憶する目的地情報記憶手段と、
該目的地情報記憶手段により記憶された目的地情報の目的地設定回数に基づいてランク付けされた使用者の嗜好情報を作成する第３の嗜好情報作成手段と、
該第３の嗜好情報作成手段により作成された前記嗜好情報を前記嗜好情報記憶手段に登録する第３の嗜好情報登録手段とを備え、
前記情報抽出手段が、前記各種情報の中から前記嗜好情報に該当する地点のランクに応じて設定された所定エリア内の情報を抽出するものであることを特徴とする請求項１〜５のいずれかの項に記載の端末装置。
【請求項１２】
地図上の任意の地点に対するコメント情報を入力するためのコメント情報入力手段と、
該コメント情報入力手段を介して入力されたコメント情報を他の端末装置へ送信するコメント情報送信手段と、
他の端末装置から送信されたコメント情報を受信するコメント情報受信手段と、
前記コメント情報の構成語句とその地点情報とを関連付けて記憶するコメント情報記憶手段と、
前記コメント情報入力手段を介して入力されたコメント情報の構成語句の使用頻度に応じてランク付けされた使用者の嗜好情報を作成する第４の嗜好情報作成手段と、
該第４の嗜好情報作成手段により作成された前記嗜好情報を前記嗜好情報記憶手段に登録する第４の嗜好情報登録手段とを備え、
前記情報抽出手段が、前記コメント情報受信手段で受信したコメント情報の中から使用頻度の高い語句を含むコメント情報、及び／又は前記語句と関連付けられた地点に関連する情報を抽出するものであることを特徴とする請求項１〜５のいずれかの項に記載の端末装置。
【請求項１３】
少なくとも発着信回数を含む電話の発着信履歴情報を記憶する発着信履歴情報記憶手段と、
該発着信履歴情報記憶手段により記憶された発着信相手の情報と、該発着信相手の発着信回数に応じてランク付けされた情報とを使用者の嗜好情報として前記嗜好情報記憶手段に登録する第５の嗜好情報登録手段とを備え、
前記情報抽出手段が、前記各種情報の中から前記発着信相手の登録情報に関連する情報をランク毎に抽出するものであることを特徴とする請求項１〜５のいずれかの項に記載の端末装置。
【請求項１４】
前記各種情報が、少なくともある地点近辺の施設情報を含み、該施設情報が、前記センタ端末側で決められた所定の施設ジャンル順に配列されているものであり、
前記嗜好情報設定手段が、使用者が嗜好する施設ジャンルの順位を設定するためのものであり、
前記情報抽出手段が、前記施設情報の中から前記嗜好情報設定手段で設定された施設ジャンルの情報を抽出するものであり、
前記情報出力手段が、前記情報抽出手段により抽出された前記情報を使用者の嗜好施設ジャンル順に並び替えて出力するものであることを特徴とする請求項２記載の端末装置。
【請求項１５】
前記各種情報が、少なくともある地点近辺の施設情報を含み、該施設情報が、前記センタ端末側から施設ジャンル別に配信されてくるものであり、
前記嗜好情報設定手段が、使用者が嗜好する施設ジャンルを設定するためのものであり、
前記情報抽出手段が、前記施設情報の施設ジャンルと前記嗜好情報設定手段で設定された前記施設ジャンルとが一致した場合にこれら情報を抽出して記憶させるものであり、
前記情報出力手段が、前記情報抽出手段により抽出して記憶された前記情報を出力するものであることを特徴とする請求項２記載の端末装置。
【請求項１６】
前記各種情報が、少なくともある地点近辺の施設情報を含み、該施設情報が、施設に関する付加情報を含むものであり、
前記嗜好情報設定手段が、使用者が不要とする情報を設定するためのものであり、
前記情報抽出手段が、前記付加情報の中に使用者が不要とする前記情報が含まれる施設情報を抽出して破棄させるものであり、
前記情報出力手段が、前記情報抽出手段により破棄されなかった施設情報を出力するものであることを特徴とする請求項２記載の端末装置。
【請求項１７】
前記各種情報が、少なくともある地点近辺の施設情報を含み、該施設情報が、通信ネットワーク上のアドレス情報を含むものであり、
前記嗜好情報設定手段が、使用者が嗜好する施設ジャンルを設定するためのものであり、
前記情報抽出手段が、前記施設情報の中から前記嗜好情報設定手段で設定された前記施設ジャンルと一致する施設のアドレス情報を抽出して記憶させるものであり、
前記情報出力手段が、前記情報抽出手段により抽出して記憶された前記アドレス情報を出力するものであることを特徴とする請求項２記載の端末装置。
【請求項１８】
前記各種情報が、少なくともある地点近辺の施設情報を含むものであり、
前記嗜好情報設定手段が、使用者が嗜好する施設ジャンルを設定するためのものであり、
前記情報抽出手段が、前記施設情報の中から表示エリア内の前記嗜好情報設定手段で設定された前記施設ジャンルの情報を抽出するものであり、
前記情報出力手段が、前記情報抽出手段により抽出された前記表示エリア内の前記情報を出力するものであることを特徴とする請求項２記載の端末装置。
【請求項１９】
前記嗜好情報設定手段が、施設情報を抽出する地点を設定するための情報抽出地点設定手段を備え、
前記情報抽出手段が、前記施設情報の中から前記情報抽出地点設定手段を介して設定された地点近辺の表示エリア内の前記情報を抽出するものであることを特徴とする請求項１９記載の端末装置。
【請求項２０】
前記各種情報が、少なくともある地点近辺の施設情報を含み、該施設情報が、前記センタ端末側で決められた施設ジャンルコードで管理されているものであり、
前記嗜好情報設定手段が、使用者が嗜好する施設ジャンルを設定するためのものであり、
前記情報抽出手段が、前記施設ジャンルコードを判別するコード判別手段を備え、該コード判別手段により前記施設情報に含まれる施設ジャンルを判別し、判別された施設ジャンルの中から前記嗜好情報設定手段で設定された前記施設ジャンルの情報を抽出するものであり、
前記情報出力手段が、前記情報抽出手段により抽出された前記情報を出力するものであることを特徴とする請求項２記載の端末装置。
【請求項２１】
前記施設ジャンルコードの施設ジャンル名を登録するための施設ジャンル名登録手段を備え、
前記情報出力手段が、前記情報抽出手段により抽出された前記情報を前記施設ジャンル名登録手段を介して登録された施設ジャンル名で出力するものであることを特徴とする請求項２０記載の端末装置。
【発明の詳細な説明】
【０００１】
【発明の属する技術分野】
本発明は端末装置に関し、より詳細にはセンタ端末から配信される各種情報を取得することのできる端末装置に関する。
【０００２】
【従来の技術】
近年、端末装置をインターネットなどの通信ネットワークに接続し、該通信ネットワーク経由で種々の情報を手軽に取得することができるようになってきている。
【０００３】
しかしながら、通信ネットワーク経由で取得することのできる情報量はあまりにも膨大になってきており、取得したい情報を精度よく探索するためには、端末装置を通じて適切なキーワードなどの情報を何度も入力したり、選択したりする必要があった。そのため、端末装置を通じての情報の絞り込み操作が意外と面倒であり、取得したい情報にたどりつくことは容易なことではなかった。
【０００４】
そこで、センタ端末側での情報の絞り込み処理を容易にするため、使用者に嗜好する情報（ユーザ嗜好情報）を端末装置に入力させ、入力されたユーザ嗜好情報をセンタ端末へ送信し、センタ端末が、前記ユーザ嗜好情報に基づいてデータベースを探索し、探索した情報を端末装置へ送信する。一方、端末装置では、センタ端末側から送られてきた情報を表示画面に表示させることにより、ユーザ嗜好情報に関連する情報を簡単に閲覧させることができるシステムが知られている。
【０００５】
このようなシステムの一例として下記の特許文献１には、利用者が利用者端末を使って事前に利用者自身のプロフィールデータを情報センタに登録しておき、該情報センタでは、予め登録されているサービスメニューデータと前記プロフィールデータとを比較して、利用者がどのサービスに関心があるのかを選別し、選別されたサービスメニューのデータを前記利用者端末へ送信し、該利用者端末では、選別されたサービスメニューの一覧を表示させて、関心のあるサービスの申し込み処理を簡単に行うことのできるシステムが開示されている。
【０００６】
【特許文献１】
特許第３１９２３５８号公報
【０００７】
【発明が解決しようとする課題】
しかしながら、上記特許文献１記載の利用者端末では、情報センタで選別されたサービスメニューのデータをそのまま一覧表示させている。すなわち、利用者端末側でデータの絞り込み等の編集処理を行うことなく表示させるようになっており、一覧表示の際に、いかにして使用者の好みの情報を分かり易いように表示させるのかという点に関しては考慮されていない。したがって、表示するデータ項目が多い場合には、利用しようとするサービスの選択に手間がかかってしまうという課題があった。
【０００８】
本発明は上記課題に鑑みなされたものであって、センタ端末から取得した各種情報の絞り込みを使用者の嗜好情報に基づいて行うことにより、使用者の嗜好に応じた情報を使用者に一層分かり易く、的確に提供することができ、また、センタ端末から取得した情報を使用者の好みに応じて編集して使用することのできる端末装置を提供することを目的としている。
【０００９】
【課題を解決するための手段及びその効果】
上記目的を達成するために本発明に係る端末装置（１）は、センタ端末から配信される各種情報を取得する情報取得手段を備えた端末装置において、使用者の嗜好情報を記憶するための嗜好情報記憶手段と、該嗜好情報記憶手段に記憶されている前記嗜好情報に基づいて、前記各種情報の中から前記嗜好情報に該当する情報を抽出する情報抽出手段と、該情報抽出手段により抽出された情報を出力する情報出力手段とを備えていることを特徴としている。
【００１０】
上記端末装置（１）によれば、前記嗜好情報記憶手段に記憶されている前記嗜好情報に基づいて、前記各種情報の中から該嗜好情報に該当する情報を抽出し、抽出された情報を出力するので、種々の情報が含まれる前記各種情報の中から使用者の嗜好に応じた情報を的確に提供することができ、使用者に嗜好情報を簡単に把握させることができ、使用者の使い勝手を向上させることができる。
【００１１】
また本発明に係る端末装置（２）は、上記端末装置（１）において、前記嗜好情報を設定するための嗜好情報設定手段を備えていることを特徴としている。
上記端末装置（２）によれば、使用者は、前記嗜好情報設定手段を通じて、自己の嗜好情報を設定することができる。
【００１２】
また本発明に係る端末装置（３）は、上記端末装置（１）又は（２）において、前記情報抽出手段が、前記各種情報の中から前記嗜好情報に該当しない情報を削除することにより前記嗜好情報に該当する情報の抽出を行うものであることを特徴としている。
上記端末装置（３）によれば、前記嗜好情報に該当しない情報を削除していくことにより、必要性の低い情報の蓄積を防止できるとともに、記憶させるデータ量を少なくすることができ、記憶領域を有効に活用することができる。
【００１３】
また本発明に係る端末装置（４）は、上記端末装置（１）〜（３）のいずれかにおいて、前記情報出力手段が、前記情報抽出手段により抽出された情報を表示出力する表示出力手段を含むものであることを特徴としている。
上記端末装置（４）によれば、前記情報抽出手段により抽出された情報が表示出力されるので、使用者は目視により前記情報を容易に確認することができる。
【００１４】
また本発明に係る端末装置（５）は、上記端末装置（４）において、前記情報出力手段が、前記情報抽出手段により抽出された情報を音声出力する音声出力手段をさらに含むものであることを特徴としている。
上記端末装置（５）によれば、前記情報抽出手段により抽出された情報が音声出力されるので、特に車載用として採用された場合には、使用者が表示情報を注視することなく、前記情報を把握することができ、安全性が配慮されたものとすることができる。
【００１５】
また本発明に係る端末装置（６）は、上記端末装置（１）〜（５）のいずれかにおいて、少なくとも移動地点情報とその日時情報とを含む履歴情報を記憶する履歴情報記憶手段と、該履歴情報記憶手段により記憶された前記履歴情報に基づいて使用者の嗜好情報を作成する第１の嗜好情報作成手段と、該第１の嗜好情報作成手段により作成された前記嗜好情報を前記嗜好情報記憶手段に登録する第１の嗜好情報登録手段とを備え、前記情報抽出手段が、前記各種情報の中から前記嗜好情報に該当する情報を抽出するものであることを特徴としている。
【００１６】
上記端末装置（６）によれば、前記履歴情報が反映された嗜好情報を自動的に登録することができ、使用者による登録の手間を省くことができ、使い勝手を良くすることができる。また、前記使用者の行動履歴が考慮された嗜好情報を前記各種情報の中から優先的に抽出することができる。
【００１７】
また本発明に係る端末装置（７）は、上記端末装置（６）において、前記嗜好情報作成手段が、時間帯別、曜日別、及び／又は地図エリア別に前記嗜好情報を作成するものであることを特徴としている。
上記端末装置（７）によれば、前記時間帯別、曜日別、及び／又は地図エリア別に前記嗜好情報が作成されて自動的に登録されるので、使用者の日常の行動パターンに応じた嗜好情報を登録することができ、使用者の行動パターンが考慮された嗜好情報に該当する情報を的確に抽出することができ、有用度の高い情報提供を行うことができる。
【００１８】
また本発明に係る端末装置（８）は、上記端末装置（６）において、前記第１の嗜好情報作成手段が、各移動地点における滞在時間の長さに基づいて前記嗜好情報を作成するものであり、前記情報抽出手段が、前記各種情報の中から滞在時間の長い移動地点周辺の情報を、前記滞在時間の長い移動地点からの距離に応じてランク付けして抽出するものであることを特徴としている。
【００１９】
上記端末装置（８）によれば、各移動地点における滞在時間の長さに基づく使用者の嗜好度合いが考慮された情報を前記嗜好情報として作成することができ、例えば、前記滞在時間が一定時間以上の地点の情報を前記嗜好情報として登録することができる。また、前記各種情報の中から滞在時間の長い移動地点周辺の情報が、前記滞在時間の長い移動地点からの距離に応じてランク付けされて抽出されるので、該ランクに基づいて使用者が長く滞在していた地点周辺の情報を重点的に提供することができる。
【００２０】
また本発明に係る端末装置（９）は、上記端末装置（６）において、前記第１の嗜好情報作成手段が、各移動地点における滞在時間の長さに基づいて前記嗜好情報を作成するものであり、前記情報抽出手段が、滞在時間の長い移動地点での滞在時間帯に基づいて、前記各種情報の中から前記滞在時間の長い移動地点周辺の情報をランク付けして抽出するものであることを特徴としている。
【００２１】
上記端末装置（９）によれば、各移動地点における滞在時間の長さに基づく使用者の嗜好度合いが考慮された情報を前記嗜好情報として作成することができるので、例えば、前記滞在時間が一定時間以上の地点の情報を前記嗜好情報として登録することができる。また、前記滞在時間の長い移動地点での滞在時間帯に基づいて、前記滞在時間の長い移動地点周辺の情報がランク付けされて抽出されるので、前記滞在時間帯が考慮された情報を前記ランク別に提供することができる。
【００２２】
また本発明に係る端末装置（１０）は、上記端末装置（４）又は（５）において、前記各種情報が表示される時間を単位情報毎に計時する表示時間計時手段と、該表示時間計時手段により計時された単位情報毎の表示時間に基づいて、該表示時間の長さに応じてランク付けされた使用者の嗜好情報を作成する第２の嗜好情報作成手段と、該第２の嗜好情報作成手段により作成された前記嗜好情報を前記嗜好情報記憶手段に登録する第２の嗜好情報登録手段とを備え、前記情報抽出手段が、前記各種情報の中から前記嗜好情報に該当する情報をランク順に抽出するものであることを特徴としている。
【００２３】
上記端末装置（１０）によれば、前記単位情報毎の表示時間の長さに基づいて使用者の嗜好性を判断し、前記表示時間が長い情報を使用者の嗜好度合いが高い情報としてランク付けして登録することができる。また、前記各種情報の中から前記嗜好情報に該当する情報がランク順に抽出されるので、前記表示時間が長かった情報やその関連情報を優先的に使用者に提供することができる。
【００２４】
また本発明に係る端末装置（１１）は、上記端末装置（１）〜（５）のいずれかにおいて、少なくとも目的地設定回数を含む目的地情報を記憶する目的地情報記憶手段と、該目的地情報記憶手段により記憶された目的地情報の目的地設定回数に基づいてランク付けされた使用者の嗜好情報を作成する第３の嗜好情報作成手段と、該第３の嗜好情報作成手段により作成された前記嗜好情報を前記嗜好情報記憶手段に登録する第３の嗜好情報登録手段とを備え、前記情報抽出手段が、前記各種情報の中から前記嗜好情報に該当する地点のランクに応じて設定された所定エリア内の情報を抽出するものであることを特徴としている。
【００２５】
上記端末装置（１１）によれば、前記目的地設定回数に基づいて目的地地点に関する使用者の嗜好性を判断し、前記目的地設定回数が多い目的地地点の情報を使用者の嗜好情報としてランク付けして登録することができる。また、前記各種情報の中から前記嗜好情報に該当する目的地地点のランクに応じて設定された所定エリア内の情報が抽出されるので、前記目的地設定回数が多い地点の情報やその周辺情報を重点的に使用者に提供することができる。
【００２６】
また本発明に係る端末装置（１２）は、上記端末装置（１）〜（５）のいずれかにおいて、地図上の任意の地点に対するコメント情報を入力するためのコメント情報入力手段と、該コメント情報入力手段を介して入力されたコメント情報を他の端末装置へ送信するコメント情報送信手段と、他の端末装置から送信されたコメント情報を受信するコメント情報受信手段と、前記コメント情報の構成語句とその地点情報とを関連付けて記憶するコメント情報記憶手段と、前記コメント情報入力手段を介して入力されたコメント情報の構成語句の使用頻度に応じてランク付けされた使用者の嗜好情報を作成する第４の嗜好情報作成手段と、該第４の嗜好情報作成手段により作成された前記嗜好情報を前記嗜好情報記憶手段に登録する第４の嗜好情報登録手段とを備え、前記情報抽出手段が、前記コメント情報受信手段で受信したコメント情報の中から使用頻度の高い語句を含むコメント情報、及び／又は前記語句と関連付けられた地点に関連する情報を抽出するものであることを特徴としている。
【００２７】
上記端末装置（１２）によれば、入力されたコメント情報の構成語句の使用頻度に基づいて前記構成語句と、該構成語句と関連付けられた地点情報とをランク付けして登録していくことができる。また、受信したコメント情報の中から使用頻度の高い語句を含むコメント情報、及び／又は前記語句と関連付けられた地点に関連する情報を優先的に使用者に提供することができる。
【００２８】
また本発明に係る端末装置（１３）は、上記端末装置（１）〜（５）のいずれかにおいて、少なくとも発着信回数を含む電話の発着信履歴情報を記憶する発着信履歴情報記憶手段と、該発着信履歴情報記憶手段により記憶された発着信相手の情報と、該発着信相手の発着信回数に応じてランク付けされた情報とを使用者の嗜好情報として前記嗜好情報記憶手段に登録する第５の嗜好情報登録手段とを備え、前記情報抽出手段が、前記各種情報の中から前記発着信相手の登録情報に関連する情報をランク毎に抽出するものであることを特徴としている。
【００２９】
上記端末装置（１３）によれば、前記発着信履歴情報記憶手段により記憶された発着信相手の情報と、該発着信相手の発着信回数に応じてランク付けされた情報とを使用者の嗜好情報として前記嗜好情報記憶手段に登録することができる。また、前記各種情報の中から前記発着信相手の登録情報に関連する情報がランク毎に抽出されるので、ランクの高い着発信相手の登録情報に関連する情報から優先的に使用者に提供することができる。
【００３０】
また本発明に係る端末装置（１４）は、上記端末装置（２）において、前記各種情報が、少なくともある地点近辺の施設情報を含み、該施設情報が、前記センタ端末側で決められた所定の施設ジャンル順に配列されているものであり、前記嗜好情報設定手段が、使用者が嗜好する施設ジャンルの順位を設定するためのものであり、前記情報抽出手段が、前記施設情報の中から前記施設情報設定手段で設定された施設ジャンルの情報を抽出するものであり、前記情報出力手段が、前記情報抽出手段により抽出された前記情報を使用者の嗜好施設ジャンル順に並び替えて出力するものであることを特徴としている。
【００３１】
上記端末装置（１４）によれば、前記センタ端末側で決められた所定の施設ジャンル順に配列された施設情報を前記嗜好施設ジャンル順に並び替えて出力させることができ、使用者の嗜好に応じた施設ジャンル順の施設情報の出力が可能となり、使用者の好みの施設情報を分かり易い形態で出力させることができる。
【００３２】
また本発明に係る端末装置（１５）は、上記端末装置（２）において、前記各種情報が、少なくともある地点近辺の施設情報を含み、該施設情報が、前記センタ端末側から施設ジャンル別に配信されてくるものであり、前記嗜好情報設定手段が、使用者が嗜好する施設ジャンルを設定するためのものであり、前記情報抽出手段が、前記施設情報の施設ジャンルと前記嗜好情報設定手段で設定された前記施設ジャンルとが一致した場合にこれら情報を抽出して記憶させるものであり、前記情報出力手段が、前記情報抽出手段により抽出して記憶された前記情報を出力するものであることを特徴としている。
【００３３】
上記端末装置（１５）によれば、前記施設情報の施設ジャンルと前記嗜好情報設定手段で設定された前記施設ジャンルとが一致した場合にこれら情報を抽出して記憶させるので、使用者の嗜好に応じた施設ジャンルの情報が順次記憶され、使用者の好みの施設ジャンルの情報を分かり易い形態で出力させることができる。
【００３４】
また本発明に係る端末装置（１６）は、上記端末装置（２）において、前記各種情報が、少なくともある地点近辺の施設情報を含み、該施設情報が、施設に関する付加情報を含むものであり、前記嗜好情報設定手段が、使用者が不要とする情報を設定するためのものであり、前記情報抽出手段が、前記付加情報の中に使用者が不要とする前記情報が含まれる施設情報を抽出して破棄させるものであり、前記情報出力手段が、前記情報抽出手段により破棄されなかった施設情報を出力するものであることを特徴としている。
【００３５】
上記端末装置（１６）によれば、前記付加情報の中に使用者が不要とする前記情報が含まれる施設情報を抽出して破棄させることができ、前記付加情報を利用した前記施設情報の絞り込みを行うことができ、使用者が不要とする情報を含まない施設情報を出力することができる。
【００３６】
また本発明に係る端末装置（１７）は、上記端末装置（２）において、前記各種情報が、少なくともある地点近辺の施設情報を含み、該施設情報が、通信ネットワーク上のアドレス情報を含むものであり、前記嗜好情報設定手段が、使用者が嗜好する施設ジャンルを設定するためのものであり、前記情報抽出手段が、前記施設情報の中から前記嗜好情報設定手段で設定された前記施設ジャンルと一致する施設のアドレス情報を抽出して記憶させるものであり、前記情報出力手段が、前記情報抽出手段により抽出して記憶された前記アドレス情報を出力するものであることを特徴としている。
【００３７】
上記端末装置（１７）によれば、前記施設情報の中から前記嗜好情報設定手段で設定された前記施設ジャンルと一致する施設のアドレス情報を抽出して記憶させて、出力させることにより、使用者に嗜好施設のアドレス情報を簡単に知らせることができる。
【００３８】
また本発明に係る端末装置（１８）は、上記端末装置（２）において、前記各種情報が、少なくともある地点近辺の施設情報を含むものであり、前記嗜好情報設定手段が、使用者が嗜好する施設ジャンルを設定するためのものであり、前記情報抽出手段が、前記施設情報の中から表示エリア内の前記嗜好情報設定手段で設定された前記施設ジャンルの情報を抽出するものであり、前記情報出力手段が、前記情報抽出手段により抽出された前記表示エリア内の前記情報を出力するものであることを特徴としている。
【００３９】
上記端末装置（１８）によれば、広範囲のエリアの施設情報を取得した場合、前記表示エリア内における使用者の嗜好に応じた施設情報が抽出され、出力されるので、前記表示エリアが考慮された前記嗜好施設ジャンルの情報の絞り込みを行うことができる。
【００４０】
また本発明に係る端末装置（１９）は、上記端末装置（１８）において、前記嗜好情報設定手段が、施設情報を抽出する地点を設定するための情報抽出地点設定手段を備え、前記情報抽出手段が、前記各種情報の中から前記情報抽出地点設定手段を介して設定された地点近辺の表示エリア内の前記情報を抽出するものであることを特徴としている。
【００４１】
上記端末装置（１９）によれば、登録された地点を含む広範囲のエリアの施設情報を取得した場合、前記設定地点近辺の表示エリア内における使用者の嗜好に応じた施設情報が抽出され、出力されるので、前記設定地点近辺の表示エリアが考慮された前記嗜好施設ジャンルの情報の絞り込みを行うことができる。
【００４２】
また本発明に係る端末装置（２０）は、上記端末装置（２）において、前記各種情報が、少なくともある地点近辺の施設情報を含み、該施設情報が、前記センタ端末側で決められた施設ジャンルコードで管理されているものであり、前記嗜好情報設定手段が、使用者が嗜好する施設ジャンルを設定するためのものであり、前記情報抽出手段が、前記施設ジャンルコードを判別するコード判別手段を備え、該コード判別手段により前記施設情報に含まれる施設ジャンルを判別し、判別された施設ジャンルの中から前記嗜好情報設定手段で設定された前記施設ジャンルの情報を抽出するものであり、前記情報出力手段が、前記情報抽出手段により抽出された前記情報を出力するものであることを特徴としている。
【００４３】
上記端末装置（２０）によれば、前記施設情報に含まれる施設ジャンルコードを判別し、判別された施設ジャンルの中から前記嗜好情報設定手段で設定された施設ジャンルの情報が抽出され、出力されるので、前記センタ端末側で決められた施設ジャンルコードの施設情報をそのまま出力するのではなく、使用者が嗜好する施設ジャンルに基づいて抽出された施設情報の出力を行うことができる。
【００４４】
また本発明に係る端末装置（２１）は、上記端末装置（２０）において、前記施設ジャンルコードの施設ジャンル名を登録するための施設ジャンル名登録手段を備え、前記情報出力手段が、前記情報抽出手段により抽出された前記情報を前記施設ジャンル名登録手段を介して登録された施設ジャンル名で出力するものであることを特徴としている。
【００４５】
上記端末装置（２１）によれば、前記施設ジャンルコードの施設ジャンル名を前記使用者の好みの施設ジャンル名として登録することができ、登録されたオリジナルな施設ジャンル名で前記情報を出力することができ、使用者にとって分かりやすい出力形態をとることができる。
【００４６】
【発明の実施の形態】
以下、本発明に係る端末装置の実施の形態を図面に基づいて説明する。図１は、実施の形態（１）に係る端末装置が採用された情報取得システムを概略的に示したブロック図である。
【００４７】
情報取得システム１は、車両２に搭載された端末装置１０及び情報受信装置２０と、情報センタ３０と、情報センタ３０と通信回線を介して接続されている情報送信装置４０ａ、４０ｂ、４０ｃとを含んで構成されている。
【００４８】
情報センタ３０は、サーバ３１と地図データベース３２と施設情報データベース３３とを含んで構成されており、サーバ３１は、道路・交通情報や施設情報などの情報を外部から収集する機能、収集した情報を利用形態に応じて編集する処理などを行う機能、これらの情報を情報送信装置４０ａ、…を介して端末装置１０へ提供する機能などを備えている。
【００４９】
地図データベース３２には、道路、鉄道、水域、県境などを示すベクトル情報、地名、施設名などを示す文字情報など、地図を表示するために必要な電子地図データが登録されるようになっており、最新の地図データが逐次更新記憶されるようになっている。
【００５０】
施設情報データベース３３には、施設情報が登録されるようになっており、そのデータ構造の一例を図２に示している。施設情報データベース３３は、地図座標、エリアコード、施設ジャンル、施設名称、付加情報などの項目を含んで構成されている。
【００５１】
地図座標には、施設の地図座標データが格納され、エリアコードには、地図座標が含まれている地図エリアを識別するための情報が格納されている。施設ジャンルには、施設の大分類を示す情報（例えば、銀行、コンビニエンスストア、レストラン、駐車場、公園、スーパーマーケット、デパート、ガソリンスタンドなど）が格納され、施設名称には、その施設の名称（例えば、○○銀行××支店など）が格納されている。また、付加情報には、各施設が提供している情報（例えば、広告やサービスに関する情報など）が格納されるようになっている。
【００５２】
情報送信装置４０ａ、４０ｂ、４０ｃは道路に設置される、例えばビーコン方式の通信装置であり、車両２が情報送信装置４０ａ、４０ｂ、４０ｃの下を通過したときに、端末装置１０へ各種情報の送信を行うものである。情報送信装置４０ａ、４０ｂ、４０ｃは、道路上に所定間隔で設置されており、その設置間隔に対応したエリアの情報を端末装置１０へ送信することができるようになっている。
【００５３】
図３は、実施の形態（１）に係る端末装置１０の要部を概略的に示したブロック図である。
端末装置１０は、目的地までの経路を案内する車載用ナビゲーション装置としての機能を備えており、車速から演算して走行距離を取得するための車速センサ１２と、進行方向を検出するためのジャイロセンサ１３とがマイクロコンピュータ（以下、マイコンと記す）１１に接続されており、さらにアンテナ１４ａを介して衛星からのＧＰＳ信号を受信するＧＰＳ受信機１４がマイコン１１に接続されている。
【００５４】
マイコン１１は、車速センサ１２及びジャイロセンサ１３から取り込んだ信号に基づいて、走行距離及び進行方向を演算して自車位置を割り出すとともに、ＧＰＳ受信機１４から取り込んだＧＰＳ信号に基づいて自車位置を割り出す処理を行うようになっている。
【００５５】
また、情報センタ３０から配信される電子地図データや使用者の嗜好情報等を記憶するためのデータ記憶部１５がマイコン１１に接続されており、マイコン１１は、割り出した自車位置と電子地図データとを合わせるマップマッチング処理を行い、自車位置が正確に示された地図をマイコン１１に接続された表示部１６の表示画面（図示せず）へ表示する処理を行うようになっている。なお、データ記憶部１５には、例えば不揮発性の記憶手段、例えばハードディスクや半導体メモリなどを採用することができる。
【００５６】
また、各種の操作設定等を行うための操作部１７がマイコン１１に接続されている。操作部１７には、リモコン（図示せず）や表示部１６に設けられた各種のボタンスイッチ（図示せず）や、表示部１６を構成する表示画面（図示せず）上に設けられるタッチパネル（図示せず）などが採用される。
また、スピーカ１８がアンプ１９を介してマイコン１１に接続されており、マイコン１１は、経路案内などの音声を出力する処理を行うようになっている。
【００５７】
また、情報送信装置４０ａ、…から送信される情報を受信する情報受信装置２０がマイコン１１に接続されている。情報受信装置２０は、例えばビーコン受信機（ＶＩＣＳユニット）で構成されており、アンテナ２０ａや受光部（図示せず）を介して情報の受信ができるようになっている。
【００５８】
マイコン１１は、情報送信装置４０ａ、…から送信される各種情報（以下、センタ情報と記す）を情報受信装置２０を介して取得する処理や、後ほど説明する取得したセンタ情報に含まれる施設情報の中から予め設定された使用者の嗜好情報に該当する情報を抽出する処理や、抽出された使用者の嗜好施設情報を表示出力する処理などを行うようになっている。
【００５９】
また端末装置１０では、使用者の嗜好情報として好みの施設ジャンル（使用者が良く利用する施設のジャンルや利用したい施設のジャンルなど）を予め登録することができるようになっている。例えば、メニュー画面に設定されている嗜好施設情報登録ボタン（図示せず）が入力されると、図４に示した嗜好施設情報登録画面が表示部１６に表示される。
【００６０】
図４に示した嗜好施設情報登録画面では、使用者の好みの施設ジャンルをスクロールキーを用いて選択できるようになっており、施設ジャンル名がタッチ入力されると、選択された施設ジャンル名が画面右側の嗜好施設欄に表示され、登録ボタンの入力により、使用者の嗜好施設の情報が登録でき、登録データがデータ記憶部１５に記憶されるようになっている。なお、実施の形態（１）では、使用者の嗜好施設として「駐車場」が登録されているものとして以下の説明を行う。
【００６１】
次に、実施の形態（１）に係る端末装置１０の利用形態を説明する。
端末装置１０の表示部１６に自車位置を示す地図画面が表示されている状態（例えば、目的地への経路案内を行っている状態や、単に自車位置周辺の地図を表示させている状態など）で、車両２が情報送信装置４０ａの下を通過するときに、端末装置１０は情報受信装置２０を介してセンタ情報を受信する。
【００６２】
端末装置１０は、受信したセンタ情報の中から表示エリア内における使用者の嗜好施設として登録された「駐車場」に該当する施設情報を抽出し、抽出した施設情報（この場合、駐車場情報）を地図上に重ねて表示するようになっている。
【００６３】
図５（ａ）、（ｂ）は、センタ情報取得後における嗜好施設情報の表示部１６への表示例を示す図である。図５（ａ）は、センタ情報から抽出された駐車場情報に含まれる各駐車場の位置がＰマークにより地図上に表示されている状態を示しており、使用者は嗜好施設として登録された駐車場の位置を簡単に把握することができるようになっている。
【００６４】
さらに、Ｐマークがタッチ入力されると、図５（ｂ）に示した付加情報参照画面に一定時間切り換えられる。図５（ｂ）では、画面右側の所定領域に選択された駐車場の付加情報、例えば、駐車場名、営業時間、料金、割引情報などの施設に付随した情報が表示されるようになっており、使用者は、駐車場に関する詳細情報を参照することができるようになっている。
【００６５】
そして、車両２が次のエリアに設けられた情報送信装置４０ｂの下を通過すると、端末装置１０は情報受信装置４０ｂを介してセンタ情報を受信し、上記した処理を繰り返すようになっている。
【００６６】
次に実施の形態（１）に係る端末装置１０におけるマイコン１１の行う嗜好施設登録処理動作を図６に示したフロ−チャ−トに基づいて説明する。
まず、ステップＳ１では、嗜好施設情報登録ボタンの入力があったか否かを判断し、嗜好施設情報登録ボタンの入力がなかったと判断すれば処理を終了する一方、嗜好施設情報登録ボタンの入力があったと判断すればステップＳ２に進む。
【００６７】
ステップＳ２では、嗜好施設情報登録画面を表示する処理を行い、その後ステップＳ３に進み、ステップＳ３では、使用者の嗜好施設の設定処理、すなわち嗜好施設情報登録画面に表示された施設ジャンルの中から選択された施設ジャンル名を嗜好施設欄に表示する処理を行い、その後ステップＳ４に進む。
【００６８】
ステップＳ４では、登録ボタンの入力があったか否かを判断し、登録ボタンの入力がなかったと判断すればステップＳ３に戻る一方、登録ボタンの入力があったと判断すればステップＳ５に進む。ステップＳ５では、選択された施設ジャンルを使用者の嗜好施設ジャンルとして登録する処理を行い、その後処理を終了する。
【００６９】
次に実施の形態（１）に係る端末装置１０におけるマイコン１０の行う施設情報表示処理動作を図７に示したフロ−チャ−トに基づいて説明する。
まず、ステップＳ１１において、情報送信装置４０ａからセンタ情報を受信したか否かを判断し、センタ情報を受信していないと判断すれば処理を終了する一方、センタ情報を受信したと判断すればステップＳ１２に進む。
【００７０】
ステップＳ１２では、図４に示した嗜好施設情報登録画面を介して登録された使用者の嗜好施設ジャンルに基づいて、センタ情報に含まれる施設情報の中から前記嗜好施設ジャンルの情報を抽出する処理を行い、その後ステップＳ１３に進む。
【００７１】
ステップＳ１３では、嗜好施設の位置マーク（嗜好施設マーク）を地図上に表示する処理（図５（ａ））を行い、その後ステップＳ１４に進む。ステップＳ１４では、嗜好施設マークのタッチ入力があったか否かを判断し、タッチ入力がなかったと判断すればステップＳ１６に進む一方、タッチ入力があったと判断すればステップＳ１５に進む。ステップＳ１５では、図５（ｂ）に示した付加情報参照画面に一定時間切り換える処理を行い、その後ステップＳ１６に進む。
【００７２】
ステップＳ１６では、別の情報送信装置４０ｂ、…からセンタ情報を受信したか否かを判断し、センタ情報を受信していないと判断すれば処理を終了する一方、センタ情報を受信したと判断すればステップＳ１７に進む。ステップＳ１７では、センタ情報の更新処理を行い、その後ステップＳ１２に戻り、上記処理を繰り返す。
【００７３】
上記実施の形態（１）に係る端末装置１０によれば、嗜好施設情報登録画面を介して登録された使用者の嗜好施設ジャンルに基づいて、センタ情報の施設情報の中から表示エリア内の使用者が嗜好する施設ジャンルに該当する情報を抽出し、抽出された情報を表示出力するので、種々の情報が含まれるセンタ情報の中から使用者の嗜好に応じた施設情報を的確に提供することができ、使用者に嗜好情報を簡単に把握させることができ、使用者の使い勝手を向上させることができる。
【００７４】
なお、上記実施の形態（１）に係る端末装置１０では、使用者の嗜好施設ジャンルが１つだけ登録されている場合について説明したが、複数の嗜好施設ジャンルの登録も可能であり、この場合、複数の嗜好施設ジャンルの情報をすべて同一画面上に表示させてもよいし、嗜好施設ジャンル毎に切り換えて表示させるようにしてもよい。
【００７５】
また、上記実施の形態（１）に係る端末装置１０では、図４に示した嗜好施設情報登録画面を介して使用者の嗜好施設ジャンルを予め登録するようになっているが、別の実施の形態では、使用者の嗜好施設ジャンルを予め登録するのではなく、図８に示したように施設情報の取得時に、該施設情報に含まれる各施設ジャンルの選択ボタンを表示させるようにして、選択ボタンを入力することにより、希望する施設情報のみを表示させるようにしてもよい（図８では、「駐車場」が選択されている場合を示している）。
【００７６】
また、上記実施の形態（１）に係る端末装置１０では、地図上の嗜好施設マークがタッチ入力されると、図５（ｂ）に示した付加情報参照画面を通じて使用者に付加情報を参照させることができるようになっているが、別の実施の形態では、嗜好施設マークがタッチ入力されると、付加情報を音声に変換して出力する構成としてもよく、かかる構成によれば、車載用の場合、使用者が画面を注視することなく、付加情報を把握することができ、安全性が配慮されたものとすることができる。
【００７７】
図９は、実施の形態（２）に係る端末装置が採用された情報取得システムを概略的に示したブロック図である。但し図１に示した情報取得システム１と同一機能を有する構成部品には同一符号を付して、その説明を省略することとする。
【００７８】
情報取得システム１Ａは、車両２に搭載された端末装置１０Ａ及び通信手段２１と、通信手段２１との間で無線通信を行う基地局３と、基地局３と通信ネットワーク４を介して接続された情報センタ３０Ａとを含んで構成されている。
【００７９】
実施の形態（２）に係る端末装置１０Ａと実施の形態（１）に係る端末装置１０とが相違するのは、実施の形態（１）に係る端末装置１０では、所定間隔で設置された情報送信装置４０ａ、…の下を通過する毎に情報センタ３０から配信されるセンタ情報を情報受信装置２０で自動的に受信するようになっているが、実施の形態（２）に係る端末装置１０Ａでは、インターネットに接続可能な通信手段２１を使用して、使用者からの情報要求指示があったときに通信手段２１を制御して通信ネットワーク４上の情報センタ３０Ａに接続し、前記情報要求に応じて情報センタ３０Ａから配信されるセンタ情報を通信手段２１を介して取得するようになっている点である。
【００８０】
情報センタ３０Ａは、端末装置１０Ａからの情報要求に応じて情報配信する処理や地図データや施設情報等の管理を行うサーバ３１Ａと、サーバ３１Ａに接続された地図データベース３２と施設情報データベース３３とを含んで構成されており、最新の地図データや施設情報を外部から収集することにより逐次更新されるようになっている。また、施設情報データベース３３は、図２に示したものと同様のデータ構造を備えている。
【００８１】
図１０は、実施の形態（２）に係る端末装置１０Ａの要部を概略的に示したブロック図である。但し、実施の形態（２）に係る端末装置１０Ａは、マイコン１１Ａと通信手段２１とを除いて図３に示した端末装置１０と略同様の構成であるので、ここではこれら異なる機能を有するマイコン１１Ａと通信手段２１とには異なる符号を付して、その他の構成部品の説明を省略する。
【００８２】
端末装置１０Ａは、上記端末装置１０と同様に目的地までの経路を案内する車載用ナビゲーション装置としての機能を備えており、基地局３と通信ネットワーク４とを介して情報センタ３０Ａとの間でデータ通信を行うための通信手段２１がマイコン１１Ａに接続されている。通信手段２１は、データ通信が行える機能を有するものであればよく、例えば、携帯電話や内蔵型の無線モジュールが採用される。
【００８３】
マイコン１１Ａは、通信手段２１を制御して、基地局３と通信ネットワーク４とを介して情報センタ３０Ａへ情報配信を要求したり、該情報要求に応じて情報センタ３０Ａから配信されるセンタ情報を通信手段２１を介して取得する処理を行うようになっている。
【００８４】
また、マイコン１１Ａは、取得したセンタ情報に含まれる施設情報の中から予め設定された使用者の嗜好施設ジャンルの情報を抽出する処理や、抽出された嗜好施設ジャンルの情報を表示出力する処理などを行うようになっている。
【００８５】
また端末装置１０Ａでは、図４と同様な嗜好施設情報登録画面を通じて、使用者の嗜好情報として好みの施設ジャンル（使用者が良く利用する施設のジャンルや利用したい施設のジャンルなど）を予め登録し、登録データをデータ記憶部１５に記憶させることができるようになっている。なお、実施の形態（２）においても、使用者の嗜好施設ジャンルとして「駐車場」が設定登録されているものとして以下の説明を行う。
【００８６】
次に、実施の形態（２）に係る端末装置１０Ａの利用形態を図１１（ａ）、（ｂ）に示す画面表示例に基づいて説明する。
図１１（ａ）は、現在の自車位置が示された地図表示画面を示しており、画面下方には、現在地点近辺の施設情報の配信を要求するための「現在地周辺施設」ボタンが設けられている。
【００８７】
「現在地周辺施設」ボタンがタッチ入力されると、マイコン１１Ａが、通信手段２１を制御して、情報センタ３０Ａとの間の通信状態を確立し、現在位置データを含む情報要求信号を情報センタ３０Ａへ送信する。
【００８８】
情報センタ３０Ａでは、端末装置１０Ａからの情報要求信号を受信すると、その中の現在位置データに基づいて、該地点近辺（該地点を含むエリアコード）の施設情報を施設情報データベース３３から抽出し、前記施設情報を含むセンタ情報を情報センタ３０Ａへ送信する。
【００８９】
マイコン１１Ａでは、情報センタ３０Ａからの前記センタ情報を受信すると、該センタ情報に含まれる施設情報の中から、表示エリア内における使用者の嗜好施設ジャンル（この場合、駐車場）の情報を抽出し、抽出された使用者の嗜好施設ジャンル（駐車場）の情報を、例えば図１１（ｂ）に示した形態（現在の自車位置が示された地図上に駐車場マークを重ねた形態）で表示する処理を行う。そして、駐車場マークがタッチ入力されると、図５（ｂ）に示したような付加情報を表示させることができるようになっている。
【００９０】
また、嗜好施設ジャンルの情報は、現在地点近辺以外にも目的地点近辺や経由地点近辺においても取得できるようになっており、例えば、目的地を設定する場合に、目的地設定画面に目的地点近辺の施設情報の配信を要求するための「目的地周辺施設」ボタンを設けておき、該目的地周辺施設ボタンが入力されると、上記同様の処理により目的地周辺の使用者の嗜好施設に該当する情報を表示出力させることもできる。また、同様に経由地点設定画面に経由地点近辺の施設情報の配信を要求するための「経由地点周辺施設」ボタンを設けておき、該経由地周辺施設ボタンが入力されると、上記同様の処理により経由地点周辺の使用者の嗜好施設に該当する情報を表示出力させることもできる。なお表示形態としては、地図上に嗜好施設マークを表示させる他に、嗜好施設ジャンルの情報を文字表示させるようにしてもよい。
【００９１】
次に実施の形態（２）に係る情報取得システム１Ａにおける端末装置１０Ａと情報センタ３０Ａとの行う処理動作を図１２に示したフロ−チャ−トに基づいて説明する。
【００９２】
端末装置１０Ａでは、まずステップＳ２１において、施設情報要求指示（すなわち、ある地点（現在地点、目的地点、または経由地点）の周辺施設ボタンの入力）があったか否かを判断し、施設情報要求指示がなかったと判断すればステップＳ２１に戻る一方、施設情報要求指示があったと判断すれば、ステップＳ２２に進む。ステップＳ２２では、ある地点（現在地点、目的地点、または経由地点）の位置情報を含む情報要求信号を情報センタ３０Ａへ送信する。
【００９３】
情報センタ３０Ａでは、ステップＳ２３において、端末装置１０Ａからの情報要求信号を受信したか否かを判断し、該情報要求信号を受信していないと判断すればステップＳ２３に戻る一方、前記情報要求信号を受信した判断すればステップＳ２４に進む。
【００９４】
ステップＳ２４では、地図データベース３２を利用して前記ある地点を含む地図データエリアを判別する処理を行い、その後ステップＳ２５に進む。ステップＳ２５では、施設情報データベース３３から前記判別された地図データエリアの施設情報を全て抽出する処理を行い、その後ステップＳ２６に進む。ステップＳ２６では、施設情報データベース３３から抽出された施設情報を含むセンタ情報を端末装置１０Ａへ送信する処理を行う。
【００９５】
端末装置１０Ａでは、ステップＳ２７において、情報センタ３０Ａからセンタ情報を受信したか否かを判断し、センタ情報を受信していないと判断すればステップＳ２７に戻る一方、センタ情報を受信したと判断すればステップＳ２８に進む。
【００９６】
ステップＳ２８では、予め登録された使用者の嗜好施設ジャンルに基づいて、前記センタ情報の施設情報の中から地図表示エリア内における前記嗜好施設ジャンルの情報を抽出する処理を行い、その後ステップＳ２９に進む。ステップＳ２９では、図１１（ｂ）に示したような形態で地図画面上に嗜好施設ジャンルの情報を表示出力する処理を行い、その後処理を終了する。
【００９７】
上記実施の形態（２）に係る端末装置１０Ａによれば、情報要求に応じて配信されてきたセンタ情報に対しても、使用者の嗜好施設ジャンルに基づいて、センタ情報の施設情報の中から前記嗜好施設ジャンルの情報を抽出し、該情報を出力するので、上記端末装置（１）と略同様の効果を得ることができる。
【００９８】
なお、実施の形態（２）に係る端末装置１０Ａでは、図１２のステップＳ２８において、嗜好情報登録画面を介して登録された嗜好施設ジャンルに基づいて、センタ情報の施設情報の中から前記嗜好施設ジャンルの情報を抽出するようになっているが、別の実施の形態では、センタ情報の施設情報の中から前記嗜好施設ジャンルに該当しない施設ジャンルの情報を削除し、削除されなかった情報を画面に表示するようにしてもよい。
【００９９】
なお上記実施の形態（２）に係る端末装置１０Ａでは、車載用ナビゲーション装置に適用された場合について説明したが、通信ネットワーク４を介して地図データと施設情報とを受信可能な携帯電話や携帯情報端末にも適用することができる。
【０１００】
次に実施の形態（３）に係る端末装置が採用された情報取得システムについて説明する。但し、実施の形態（３）に係る端末装置１０Ｂは、図９、１０に示した端末装置１０Ａと略同様な構成であるので、ここでは異なる機能を有するマイコン１１Ｂ、データ記憶部１５Ａにのみ異なる符号を付して、その他の構成部品の説明を省略する。また、情報センタ３０Ｂは、図９に示した情報センタ３０Ａと略同様な構成であるので、ここでは異なる機能を有するサーバ３１Ｂにのみ異なる符号を付して、その他の構成部品の説明を省略する。
【０１０１】
実施の形態（３）に係る端末装置１０Ｂが、実施の形態（２）に係る端末装置１０Ａと相違するのは、マイコン１１Ｂが行う使用者の嗜好施設ジャンルの登録処理、センタ情報の施設情報の中から嗜好施設ジャンルの情報を抽出する処理及び該情報を表示する処理の３点である。
【０１０２】
実施の形態（２）に係る端末装置１０Ａでは、図４と同様な嗜好施設情報登録画面を介して使用者の嗜好施設ジャンルを登録するようになっているが、実施の形態（３）に係る端末装置１０Ｂでは、嗜好施設ジャンルの順位まで登録することができるようになっており、また、過去に立ち寄った場所とその日時とを含む履歴情報に基づいて、使用者の嗜好施設ジャンルの順位を自動的に登録していくこともできるようになっている。
【０１０３】
また、実施の形態（２）に係る情報センタ３０Ａでは、端末装置１０Ａへ配信するセンタ情報の施設情報の中の施設ジャンルの配列順に特に取り決めがなされておらず、サーバ３１Ａは、施設情報データベース３３から抽出した施設ジャンル順に配列したデータ形式で端末装置１０Ａへ配信するようになっているが、実施の形態（３）に係る情報センタ３０Ｂでは、サーバ３１Ｂが、施設情報データベース３３から抽出した施設情報を予め決められた所定の施設ジャンル順（例えば、１．銀行、２．コンビエンスストア、３．レストラン、４．駐車場などの順）に配列し、決められた配列順のデータ形式で端末装置１０Ｂへ配信するようになっている。
【０１０４】
また、実施の形態（３）に係る端末装置１０Ｂでは、情報センタ３０Ｂから配信されてくるセンタ情報内の施設情報を、使用者の嗜好する施設ジャンル順位に並び替えて抽出し、嗜好施設ジャンル順位で表示出力するようになっている。
【０１０５】
次に、実施の形態（３）に係る端末装置１０Ｂの利用形態を説明する。まず、表示施設情報の設定方法について説明する。
メニュー画面（図示せず）に表示された表示施設情報設定ボタンが入力されると、図１３に示した表示施設情報設定画面が表示される。表示施設情報設定画面には、使用者により登録された嗜好施設ジャンルの順位を優先させるユーザ登録優先ボタンと、前記履歴情報を解析して自動登録された嗜好施設ジャンル順位を優先させる自動登録優先ボタンとが設けられている。
【０１０６】
図１３においてユーザ登録優先ボタンが入力されると、図１４に示したユーザ嗜好施設順位登録画面が表示される。使用者は、この画面を通じて嗜好する施設ジャンルの順位を任意に登録することができるようになっている。
【０１０７】
一方、図１３において自動登録優先ボタンが入力されると、図１５に示した嗜好施設分類条件設定画面が表示される。使用者は、この画面を通じて前記履歴情報から嗜好施設ジャンルの順位を割り出すための分類条件を任意に設定することができるようになっている。
【０１０８】
本実施の形態（３）では、「エリア分類」ボタンが設定されると、エリアコード別に嗜好施設ジャンルの順位を割り出す処理を行わせる設定とすることができ、「日付・曜日分類」ボタンが設定されると、平日（月曜〜金曜）と、土日祝日とに分けて嗜好施設ジャンルの順位を割り出す処理を行わせる設定とすることができる。さらに、「時間帯分類」ボタンが設定されると、朝（４時〜１１時）と昼（１１時〜１８時）と晩（１８時〜４時）とに分けて嗜好施設ジャンルの順位を割り出す処理を行わせる設定とすることができるようになっている。なお、これらの分類ボタンは、組み合わせて選択することができ、初期設定では、これらすべての分類ボタンが入力設定されるようになっている。
【０１０９】
次に、端末装置１０Ｂにおける履歴情報の登録処理について説明する。端末装置１０Ｂのマイコン１１Ｂは、イグニッションスイッチ（ＩＧＳＷ）（図示せず）からのＯＮ／ＯＦＦ信号を取り込むことができるようになっており、ＩＧＳＷがＯＦＦからＯＮへ切り換えられたことを検知すると、現在地の各種情報と日時データとを取り込んでデータ記憶部１５Ａに設けられる履歴情報テーブルに格納する処理を行うようになっている。
【０１１０】
図１６は、履歴情報テーブルのデータ構造の一例を示しており、履歴情報テーブルは、日付（曜日含む）、時刻、地図座標、エリアコード、施設名称、施設ジャンルを含むデータ項目から構成され、日付順に登録されるようになっている。
【０１１１】
次に、端末装置１０Ｂにおける嗜好施設ジャンル順位の自動登録処理について説明する。マイコン１１Ｂは、上記説明した嗜好施設分類条件に基づいて、履歴情報テーブルに格納されたデータを解析して、使用者の嗜好施設ジャンルの順位を求めて嗜好施設情報としてデータ記憶部１５Ａに設けられた嗜好施設順位テーブルに登録する処理を行うようになっている。
【０１１２】
図１７は、図１５に示した嗜好施設分類条件設定画面において「日付・曜日分類」と「時間帯分類」とが設定された場合に登録された嗜好施設順位テーブルＡ（以下、順位テーブルＡと記す）の一例を示している。順位テーブルＡには、平日の朝、昼、晩、及び土日祝日の朝、昼、晩ごとに嗜好施設ジャンルの順位が登録されるようになっている。
【０１１３】
また図１８は、図１５に示した嗜好施設分類条件設定画面において「日付・曜日分類」と「時間帯分類」と「エリア分類」とが設定された場合に登録された嗜好施設順位テーブルＢ（以下順位テーブルＢと記す）の一例を示している。順位テーブルＢには、各エリアコード別に平日の朝、昼、晩、及び土日祝日の朝、昼、晩ごとの施設ジャンルの順位が登録されるようになっている。なお、「日付・曜日分類」と「時間帯分類」と「エリア分類」とが設定された場合には、順位テーブルＡも自動的に作成されるようになっている。これら履歴情報テーブル、及び順位テーブルＡ、Ｂの各情報は、データ記憶部１５Ａに記憶されるようになっている。
【０１１４】
次に、実施の形態（３）に係る端末装置１０Ｂにおける嗜好施設情報の表示形態について、図１９（ａ）、（ｂ）に示した画面表示例に基づいて説明する。
図１９（ａ）は、現在の自車位置が示された地図表示画面を示しており、画面下方には、現在地点近辺の施設情報の配信を要求するための「現在地周辺施設」ボタンが設けられている。
【０１１５】
「現在地周辺施設」ボタンがタッチ入力されると、マイコン１１Ｂが、通信手段２１を制御して、情報センタ３０Ｂとの間の通信状態を確立し、現在位置データを含む情報要求信号を情報センタ３０Ｂへ送信する。
【０１１６】
情報センタ３０Ｂでは、端末装置からの前記情報要求信号を受信すると、現在位置データに基づいて、その地点近辺（その地点を含むエリアコード）の施設情報を施設情報データベース３３から抽出し、所定の決められた施設ジャンル順に施設情報を配列し、該施設情報を含むセンタ情報を情報センタ３０Ｂへ送信する。
【０１１７】
マイコン１１Ｂは、情報センタ３０Ｂからの前記センタ情報を受信すると、施設情報の表示設定（ユーザ登録優先か自動登録優先か）に基づく使用者の嗜好施設ジャンル順位データを読み出す（ユーザ登録優先設定の場合はユーザ登録された施設ジャンル順位から読み出し、一方、自動登録優先設定の場合は順位テーブルＡ、Ｂから読み出す）。そして、読み出された該嗜好施設ジャンル順位（この場合、１位にレストラン、２位にコンビニが設定されているものとする）の施設情報をセンタ情報の中から抽出し、抽出された情報を、例えば、図１９（ｂ）に示したような形態（すなわち、画面右側に嗜好施設ジャンル順位１位の駐車場、２位のレストランの各施設ジャンルに含まれている情報がテキスト表示され、画面左側に施設位置マークを示した地図が表示された形態）で表示する処理を行う。そして、地図上の該当施設マークがタッチ入力されると、選択された施設の付加情報が画面右側に表示されるようになっている。
【０１１８】
次に実施の形態（３）に係る端末装置１０Ｂにおけるマイコン１１Ｂの行う嗜好施設情報登録処理動作を図２０に示したフロ−チャ−トに基づいて説明する。なお、嗜好施設分類条件として、エリア、日時・曜日、及び時間帯分類が全て設定されているものとして説明する。
【０１１９】
まずステップＳ３１では、ＩＧＳＷがＯＮされたか否かを判断し、ＩＧＳＷがＯＮされていないと判断すればステップＳ３１に戻る一方、ＩＧＳＷがＯＮされたと判断すればステップＳ３２に進む。
【０１２０】
ステップＳ３２では、現在位置データと日時データとを取り込む処理を行い、その後ステップＳ３３に進む。ステップＳ３３では、現在位置データと地図データとから現在地の施設を割り出す処理を行い、その後ステップＳ３４に進む。ステップＳ３４では、現在地の施設が割り出せたか否かを判断し、現在地の施設が割り出せたと判断すればステップＳ３５に進み、ステップＳ３５では、履歴情報テーブルに各項目のデータを登録する処理を行い、その後ステップＳ３７に進む。
【０１２１】
一方ステップＳ３４において、現在地の施設が割り出せなかった、すなわち該当する施設情報がなかったと判断すれば、ステップＳ３６に進み、ステップＳ３６では、取り込んだ現在位置・日時データを破棄する処理を行い、その後ステップＳ３７に進む。
【０１２２】
ステップＳ３７では、嗜好施設情報の作成タイミングになったか否か（例えば、登録データ数がｎ個に達したか否か、または前回の作成時から所定期間ｎ日が経過したか否かなど）を判断し、嗜好施設情報の作成タイミングになっていないと判断すれば処理を終了する一方、嗜好施設情報の作成タイミングになったと判断すればステップＳ３８に進む。
【０１２３】
ステップＳ３８では、履歴情報テーブルのデータを日付別（すなわち、平日と土日祝日別）に分類する処理を行い、その後ステップＳ３９に進む。ステップＳ３９では、日付別に分類されたテーブルデータ（平日データと土日祝日データ）を、さらに時間帯別（朝、昼、晩）にそれぞれ分類する処理を行い、その後ステップＳ４０に進む。
【０１２４】
ステップＳ４０では、日付別及び時間帯別に分類されたテーブルデータの施設ジャンルの検出頻度の解析を行い、日付別及び時間帯別の嗜好施設順位を割り出す処理を行い、その後ステップＳ４１に進む。ステップＳ４１では、日付別及び時間帯別の嗜好施設順位を順位テーブルＡへ登録する処理を行い、その後、ステップＳ４２に進む。
【０１２５】
ステップＳ４２では、日付別及び時間帯別に分類されたテーブルデータをさらにエリアコード別にそれぞれ分類する処理を行い、その後ステップＳ４３に進む。ステップＳ４３では、日付別、時間帯別、及びエリアコード別に分類されたデータの施設ジャンルの検出頻度の解析を行い、日付別、時間帯別、及びエリアコード別の嗜好施設順位を割り出す処理を行い、その後ステップＳ４４に進む。ステップＳ４４では、日付別及び時間帯別の嗜好施設順位を順位テーブルＢに登録する処理を行い、その後処理を終了する。
【０１２６】
次に実施の形態（３）に係る情報取得システム１Ｂにおける端末装置１０Ｂと情報センタ３０Ｂとの行う処理動作を図２１に示したフロ−チャ−トに基づいて説明する。但し、図１２に示した処理動作と同一内容の処理動作（ステップＳ２１〜Ｓ２５、Ｓ２７）には、同一符号を付して、その説明を省略する。
【０１２７】
情報センタ３０Ｂでは、ステップＳ２５において、施設情報データベース３３から前記判別された地図データエリアの施設情報を全て抽出する処理を行い、その後ステップＳ５１に進む。ステップＳ５１では、抽出された施設情報を決められた所定の施設ジャンル順に配列する処理を行い、その後ステップＳ５２に進む。ステップＳ５２では、所定の施設ジャンル順に配列された施設情報を含むセンタ情報を端末装置１０Ｂへ送信する処理を行う。
【０１２８】
端末装置１０Ｂでは、ステップＳ２７において、情報センタ３０Ｂからのセンタ情報を受信したか否かを判断し、センタ情報を受信していないと判断すればステップＳ２７に戻る一方、センタ情報を受信したと判断すればステップＳ５３に進む。
【０１２９】
ステップＳ５３では、表示施設情報の設定がユーザ登録優先に設定されているか否かを判断し、ユーザ登録優先に設定されていると判断すればステップＳ５４に進む。
【０１３０】
ステップＳ５４では、図１４に示したユーザ嗜好施設順位登録画面を介して予め登録された嗜好施設ジャンルの順位情報に基づいて、センタ情報の施設情報の中から嗜好施設ジャンルの情報を抽出する処理を行い、その後ステップＳ５５に進む。
【０１３１】
ステップＳ５５では、嗜好施設情報を表示する処理、すなわち図１９（ｂ）に示したように画面右側に嗜好施設ジャンル順位に基づいた施設情報をテキスト表示するともに、画面左側の地図上に嗜好施設の位置を示すマークを表示する処理を行い、その後処理を終了する。
【０１３２】
一方、ステップＳ５３において、表示施設情報の設定がユーザ登録優先に設定されていない、すなわち自動登録優先に設定されていると判断すればステップＳ５６に進む。ステップＳ５６では、受信した施設情報のエリアコードを読み出す処理を行い、その後ステップＳ５７に進む。ステップＳ５７では、順位テーブルＢに読み出したエリアコードが登録されているか否かを判断し、順位テーブルＢに読み出したエリアコードが登録されていると判断すればステップＳ５８に進み、ステップＳ５８では、順位テーブルＢの該当エリアコード欄から日付別・時間帯別に当てはまる嗜好施設順位データを読み出す処理を行い、その後ステップＳ６０に進む。
【０１３３】
一方、ステップＳ５７において、順位テーブルＢに読み出したエリアコードが登録されていないと判断すればステップＳ５９に進む。ステップＳ５９では、順位テーブルＡから日付別・時間帯別に当てはまる嗜好施設順位データを読み出す処理を行い、その後ステップＳ６０に進む。
【０１３４】
ステップＳ６０では、読み出した嗜好施設順位情報に基づいて、センタ情報の施設情報の中から嗜好施設ジャンルの情報を抽出する処理を行い、その後ステップＳ６１に進む。ステップＳ６１では、嗜好施設情報を表示する処理を行い、その後処理を終了する。
【０１３５】
上記実施の形態（３）に係る端末装置１０Ｂによれば、情報センタ３０Ｂ側で決められた所定の施設ジャンル順に配列された施設情報を使用者の嗜好施設ジャンル順に並び替えて出力させることができ、使用者の嗜好に応じた施設ジャンル順の施設情報の出力が可能となり、使用者の好みの施設情報を分かり易い形態で提供することができる。
【０１３６】
また、履歴情報に基づいて作成された使用者の嗜好施設ジャンルが登録されるので、使用者の日常の行動パターンが反映された嗜好施設ジャンルを自動的に登録することができ、使用者の行動パターンが考慮された嗜好施設ジャンルの情報を的確に抽出することができ、有用度の高い情報提供を行うことができる。
【０１３７】
次に実施の形態（４）に係る端末装置が採用された情報取得システムについて説明する。但し、実施の形態（４）に係る端末装置１０Ｃは、図９、１０に示した端末装置１０Ａと略同様な構成であるので、ここでは異なる機能を有するマイコン１１Ｃにのみ異なる符号を付して、その他の構成部品の説明を省略する。
【０１３８】
また、情報センタ３０Ｃは、図９に示した情報センタ３０Ａと略同様な構成であるので、ここでは異なる機能を有するサーバ３１Ｃにのみ異なる符号を付して、その他の構成部品の説明を省略し、以下相違点のみ説明することとする。
【０１３９】
実施の形態（２）に係る情報センタ３０Ａでは、サーバ３１Ａが、端末装置１０Ａからの情報要求に応じて施設情報データベース３３から抽出した施設情報を端末装置１０Ａへ一度に配信するようになっているが、実施の形態（４）に係る情報センタ３０Ｃでは、サーバ３１Ｃが、端末装置１０Ｃからの情報要求に応じて施設情報データベース３３から抽出した施設情報を施設ジャンル別に端末装置１０Ｃへ順次配信するようになっている。
【０１４０】
また、実施の形態（４）に係る端末装置１０Ｃでは、施設情報の施設ジャンルと使用者の嗜好施設ジャンルとが一致した場合にこれら情報を抽出して記憶させるようになっている。そして、すべての情報を受信した後、記憶した情報を、例えば、図２２に示した形態（すなわち、画面右側に嗜好施設ジャンル（レストランが登録されている）の情報（施設名称）がテキスト表示され、画面左側に施設位置を示した地図が表示された形態）で表示する処理を行うようになっている。
【０１４１】
次に実施の形態（４）に係る情報取得システム１Ｃにおける端末装置１０Ｃと情報センタ３０Ｃとの行う処理動作を図２３に示したフロ−チャ−トに基づいて説明する。但し、図１２に示した端末装置１０Ａ及び情報センタ３０Ａの行う処理動作と同様な処理動作（ステップＳ２１〜Ｓ２４）については同一符号を付してその説明を省略する。
【０１４２】
情報センタ３０Ｃでは、ステップＳ２４において、地図データベース３２を利用して、ある地点を含む地図データエリアを判別する処理を行い、その後ステップＳ７１に進む。ステップＳ７１では、施設情報データベース３３から判別された地図データエリアの施設情報を抽出し、抽出した施設情報を施設ジャンル別に分類する処理を行い、その後ステップＳ７２に進む。ステップＳ７２では、施設ジャンル毎（例えば、銀行、レストラン、駐車場、コンビニエンスストアなど）に分類されたセンタ情報を端末装置１０Ｃへ順次送信する処理を行う。
【０１４３】
端末装置１０Ｃでは、ステップＳ７３において、情報センタ３０Ｃからのセンタ情報（施設ジャンル毎の情報）を受信したか否かを判断し、センタ情報を受信していないと判断すればステップＳ７３に戻る一方、センタ情報を受信したと判断すればステップＳ７４に進む。
【０１４４】
ステップＳ７４では、予め登録された使用者の嗜好施設ジャンルに基づいて、受信したセンタ情報の施設ジャンルと使用者の嗜好施設ジャンルとが一致するか否かを判断し、センタ情報の施設ジャンルと使用者の嗜好施設ジャンルとが一致したと判断すれば、ステップＳ７５に進み、ステップＳ７５では、受信情報を記憶する処理を行いその後、ステップＳ７７に進む。
【０１４５】
一方、センタ情報の施設ジャンルと使用者の嗜好施設ジャンルとが一致しないと判断すれば、ステップＳ７６に進み、ステップＳ７６では、受信情報を破棄する処理を行いその後ステップＳ７７に進む。
【０１４６】
ステップＳ７７では、情報センタ３０Ｃからのセンタ情報（施設ジャンル毎の情報）をすべて受信したか否かを判断し、すべて受信していないと判断すればステップＳ７３に戻り、処理を繰り返す一方、すべて受信したと判断すればステップＳ７８に進む。ステップＳ７８では、嗜好施設情報を表示する処理、すなわち記憶した嗜好施設ジャンルの情報を図２２に示した形態で表示出力する処理を行い、その後処理を終了する。
【０１４７】
上記実施の形態（４）に係る端末装置１０Ｃによれば、情報センタ３０Ｃからの施設ジャンル毎に分類されたセンタ情報を順次受信して、該センタ情報の施設ジャンルと使用者の嗜好施設ジャンルとが一致した情報のみを抽出して記憶させるので、使用者の嗜好に応じた施設ジャンルの情報を順次記憶することができ、使用者の好みの施設ジャンルの情報を分かり易い形態で出力させることができる。
【０１４８】
次に実施の形態（５）に係る端末装置が採用された情報取得システムについて説明する。但し、実施の形態（５）に係る端末装置１０Ｄは、図９、１０に示した端末装置１０Ａと略同様な構成であるので、ここでは異なる機能を有するマイコン１１Ｄにのみ異なる符号を付して、その他の構成部品の説明を省略する。
【０１４９】
また、情報センタ３０Ｄは、図９に示した情報センタ３０Ａと略同様な構成であるので、ここでは異なる機能を有するサーバ３１Ｄにのみ異なる符号を付して、その他の構成部品の説明を省略し、以下相違点のみ説明することとする。
【０１５０】
実施の形態（５）に係る情報センタ３０Ｄでは、施設情報データベース３３の付加情報（図２参照）にアドレス情報（施設のホームページのＵＲＬ、メールアドレスなど）がさらに登録されるようになっている。サーバ３１Ｄは、端末装置１０Ｄからの情報要求に応じて施設情報データベース３３から抽出したアドレス情報を含む施設情報を施設ジャンル別に端末装置１０Ｄへ配信するようになっている。
【０１５１】
また、実施の形態（５）に係る端末装置１０Ｄでは、情報センタ３０Ｄから配信されてくる施設ジャンル別のセンタ情報を受信すると、マイコン１１Ｄは、予め設定された使用者が不要とするアドレス情報（不要アドレス情報）に基づいて、施設ジャンル別のセンタ情報に不要アドレスが含まれているか否かを判断して、不要アドレスが含まれていると判断すれば該情報を破棄する処理を行い、一方不要アドレスが含まれていないと判断すれば該情報を記憶する処理を行う。そして、情報センタ３０Ｄからすべての情報を受信した後、記憶したセンタ情報を、例えば、図２４に示した形態（すなわち、画面右側に嗜好施設の名称がテキスト表示され（この場合、○○レストラン、△△食堂、××駐車場の施設情報が破棄されずに記憶されている）、画面左側に施設位置を示した地図が表示された形態）で表示する処理を行うようになっている。
【０１５２】
また、図２５は、表示部１６に表示された不要アドレス情報の登録画面を示している。使用者は、この画面を通じて不要アドレス情報の登録を行うことができるようになっている。この不要アドレス情報登録画面には、不要とするアドレスを使用者が直接入力するための直接入力ボタンと、過去のホームページの閲覧または、ＵＲＬ等のアドレス情報の受信履歴の中から不要とするアドレスを選択するための履歴参照ボタンとが設けられている。
【０１５３】
直接入力ボタンを入力すると、右側の入力欄に例えば、リモコンのテンキーを操作してアドレス情報を直接入力することができるようになっている。また、履歴参照ボタンが入力されると図示しない履歴参照画面が表示されるようになっており、このアドレス情報の履歴一覧が表示される画面を通じて使用は、不要とするアドレスを選択することができ、選択されたアドレスが、図２５の履歴参照ボタン右側の表示欄に表示されるようになっている。そして、登録ボタンを入力することにより不要アドレスの登録が行えるようになっている。
【０１５４】
次に実施の形態（５）に係る情報取得システム１Ｄにおける端末装置１０Ｄと情報センタ３０Ｄとの行う処理動作を図２６に示したフロ−チャ−トに基づいて説明する。但し、図１２に示した端末装置１０Ａ及び情報センタ３０Ａの行う処理動作と同様な処理動作（ステップＳ２１〜Ｓ２４）については同一符号を付してその説明を省略する。
【０１５５】
情報センタ３０Ｄでは、ステップＳ２４において、地図データベース３２を利用して、ある地点を含む地図データエリアを判別する処理を行い、その後ステップＳ８１に進む。ステップＳ８１では、施設情報データベース３３から判別された地図データエリアのアドレス情報を含む施設情報を抽出し、抽出した施設情報を施設ジャンル別に分類する処理を行い、その後ステップＳ８２に進む。ステップＳ８２では、施設ジャンル毎に分類されたセンタ情報を端末装置１０Ｄへ順次送信する処理を行う。
【０１５６】
端末装置１０Ｄでは、ステップＳ８３において、情報センタ３０Ｄからのセンタ情報（アドレス情報を含む施設ジャンル毎の情報）を受信したか否かを判断し、センタ情報を受信していないと判断すればステップＳ８３に戻る一方、センタ情報を受信したと判断すればステップＳ８４に進む。
【０１５７】
ステップＳ８４では、予め登録された使用者の不要とするアドレス情報に基づいて、受信したセンタ情報に不要とするアドレス情報が含まれているか否かを判断し、不要とするアドレス情報が含まれていないと判断すれば、ステップＳ８５に進み、ステップＳ８５では、受信した施設ジャンルの情報を記憶する処理を行いその後、ステップＳ８７に進む。
【０１５８】
一方、ステップＳ８４において、不要とするアドレス情報が含まれていると判断すればステップＳ８６に進み、ステップＳ８６では、受信した施設ジャンルの情報を破棄する処理を行い、その後ステップＳ８７に進む。
【０１５９】
ステップＳ８７では、情報センタ３０Ｄからのセンタ情報（施設ジャンル毎の情報）をすべて受信したか否かを判断し、すべて受信していないと判断すればステップＳ８３に戻る一方、すべて受信したと判断すればステップＳ８８に進む。ステップＳ８８では、嗜好施設情報を表示する処理、すなわち記憶した嗜好施設ジャンルの情報を図２４に示した形態で表示出力する処理を行い、その後処理を終了する。
【０１６０】
上記実施の形態（５）に係る端末装置１０Ｄによれば、情報センタ３０Ｄから配信されてくるセンタ情報の付加情報の中に使用者が不要とするアドレス情報が含まれる施設情報を抽出して破棄させることができ、前記付加情報を利用した施設情報の絞り込みを行うことができ、使用者が不要とする情報を含まない施設情報を出力することができる。
【０１６１】
なお、実施の形態（５）に係る端末装置では、使用者が不要とする情報として、アドレス情報を適用した場合について説明したが、使用者が不要とする情報としては付加情報に含まれる他の情報であってもよい。
【０１６２】
次に実施の形態（６）に係る端末装置が採用された情報取得システムについて説明する。但し、実施の形態（６）に係る端末装置１０Ｅは、図９、１０に示した端末装置１０Ａと略同様な構成であるので、ここでは異なる機能を有するマイコン１１Ｅにのみ異なる符号を付して、その他の構成部品の説明を省略する。
【０１６３】
また、センタ端末３０Ｅは、図９に示したセンタ端末３０Ａと略同様な構成であるので、ここでは異なる機能を有するサーバ３１Ｅにのみ異なる符号を付して、その他の構成部品の説明を省略し、以下相違点のみ説明することとする。
【０１６４】
実施の形態（６）に係る情報センタ３０Ｅでは、施設情報データベース３３の付加情報（図２参照）にアドレス情報（施設のホームページのＵＲＬ、メールアドレスなど）がさらに登録されるようになっている。サーバ３１Ｅは、端末装置１０Ｅからの情報要求に応じて施設情報データベース３３から抽出したアドレス情報を含む施設情報を端末装置１０Ｅへ一度に配信するようになっている。
【０１６５】
また、実施の形態（６）に係る端末装置１０Ｅでは、情報センタ３０Ｅから配信されてくるセンタ情報を受信すると、マイコン１１Ｅは、予め設定された使用者の嗜好施設ジャンルに基づいて、センタ情報の施設情報の中から嗜好施設ジャンルと一致する施設のアドレス情報を抽出して記憶させる処理を行い、記憶したアドレス情報を、例えば図２７に示した形態で表示させるようになっている。
【０１６６】
図２７では、使用者の嗜好施設ジャンルとしてレストランが設定されていた場合を示しており、画面左側には、抽出された施設の位置が地図上に示されるとともに、画面右側には、抽出された施設名とそのＵＲＬ情報とが表示されるようになっている。そして表示部１６に設けられたタッチパネルを介してＵＲＬ情報をタッチ入力すると、ブラウザが起動されて、そのＵＲＬの示すホームページを閲覧することができるようになっている。
【０１６７】
次に実施の形態（６）に係る情報取得システム１Ｅにおける端末装置１０Ｅと情報センタ３０Ｅとの行う処理動作を図２８に示したフロ−チャ−トに基づいて説明する。但し、図１２に示した端末装置１０Ａ及び情報センタ３０Ａの行う処理動作と同様な処理動作（ステップＳ２１〜Ｓ２４）については同一符号を付してその説明を省略する。
【０１６８】
情報センタ３０Ｅでは、ステップＳ２４において、地図データベース３２を利用して、ある地点を含む地図データエリアを判別する処理を行い、その後ステップＳ９１に進む。ステップＳ９１では、施設情報データベース３３から判別された地図データエリアのアドレス情報を含む施設情報を抽出する処理を行い、その後ステップＳ９２に進む。ステップＳ９２では、抽出した施設情報をセンタ情報として端末装置１０Ｅへ送信する処理を行う。
【０１６９】
端末装置１０Ｅでは、ステップＳ９３において、情報センタ３０Ｅからのセンタ情報（アドレス情報を含む施設情報）を受信したか否かを判断し、センタ情報を受信していないと判断すればステップＳ９３に戻る一方、センタ情報を受信したと判断すればステップＳ９４に進む。
【０１７０】
ステップＳ９４では、設定された使用者の嗜好施設ジャンルに基づいて、受信した施設情報の中から嗜好施設ジャンルと一致する施設のアドレス情報を抽出して記憶する処理を行い、その後ステップＳ９５に進む。ステップＳ９５では、記憶されたアドレス情報と、嗜好施設ジャンルの情報とを図２７に示した形態で表示出力する処理を行い、その後処理を終了する。
【０１７１】
実施の形態（６）に係る端末装置１０Ｅによれば、施設情報の中から使用者の嗜好施設ジャンルと一致する施設のアドレス情報を抽出し、該アドレス情報を出力させることができ、使用者は、アドレス情報に基づき嗜好施設のホームページなどを簡単に閲覧することが可能になる。
【０１７２】
次に実施の形態（７）に係る端末装置が採用された情報取得システムについて説明する。但し、実施の形態（７）に係る端末装置１０Ｆは、図９、１０に示した端末装置１０Ａと略同様な構成であるので、ここでは異なる機能を有するマイコン１１Ｆにのみ異なる符号を付して、その他の構成部品の説明を省略する。
【０１７３】
また、情報センタ３０Ｆは、図９に示した情報センタ３０Ａと略同様な構成であるので、ここでは異なる機能を有するサーバ３１Ｆと、施設情報データベース３３Ａとにのみ異なる符号を付し、その他の構成部品の説明を省略して、以下相違点のみ説明することとする。
【０１７４】
実施の形態（７）に係る情報センタ３０Ｆでは、施設情報データベース３３Ａ内のデータが施設ジャンルコードで管理されている。図２９は、施設情報データベース３３Ａのデータ構造の一部を説明するための図である。各施設ジャンル毎にコードが割り振られており（図２９では、銀行は０１、コンビニエンスストアは０２、レストランは０３、駐車場は０４、ガソリンスタンドは０５など）、各施設ジャンルは、さらに中分類、小分類の項目に細分化されたデータ構造となっている。
【０１７５】
サーバ３１Ｆは、端末装置１０Ｆからの情報要求に応じて施設情報データベース３３Ａから抽出した施設ジャンルコードで管理された施設情報を端末装置１０Ｆへ配信するようになっている。
【０１７６】
また、実施の形態（７）に係る端末装置１０Ｆでは、情報センタ３０Ｆから配信されてくる施設情報を受信すると、マイコン１１Ｆは、予め情報センタ３０Ｆから取得して登録されている施設ジャンルコード情報を読み出し、該施設ジャンルコードと、受信した施設情報に含まれる施設ジャンルコードとを照合して、施設情報に含まれる施設ジャンルを判別する処理を行うようになっている。
【０１７７】
マイコン１１Ｆは、判別された施設ジャンルの中に使用者の嗜好施設ジャンルが含まれているか否かを判断して、嗜好施設ジャンルが含まれていると判断すれば、該嗜好施設ジャンルの情報を抽出する処理を行い、抽出された施設情報を、例えば、図３０に示した形態で表示させるようになっている。
【０１７８】
図３０に示した画面表示例では、使用者の嗜好施設ジャンルにコンビニエンスストアとレストランとが設定されている場合を示しており、画面左側には、抽出された施設の位置が地図上に示されるとともに、画面右側には、抽出された施設ジャンル名が表示されるようになっており、施設ジャンルコードで管理されていることを使用者に意識させない表示形態とすることができる。また、表示部１６に設けられたタッチパネルを介して地図上の施設がタッチ入力されると、該施設の付加情報が表示されるようになっている。
【０１７９】
また、図３０の画面右側に表示される施設ジャンル名を使用者が予め設定したオリジナルの施設ジャンル名で表示させることができるようになっており、図３１は、表示部１６に表示される施設ジャンル名登録画面の表示例を示している。
【０１８０】
施設ジャンル名登録画面には、登録されている施設ジャンルコードとその施設ジャンル名（センタ端末側で決められたもの）との一覧表が表示され、施設ジャンル名を登録（編集）するジャンルコードを選択することができるようになっている。表示部１６に設けられたタッチパネルを介して登録する施設ジャンルコードがタッチ入力されると、図３２に示したオリジナル施設ジャンル名入力画面が表示されるようになっている。
【０１８１】
オリジナル施設ジャンル名入力画面には、５０音表などの文字入力表が表示されており、タッチ入力により文字入力や変換などを行うことができるようになっている。所定のジャンル名を入力した後、登録ボタンを入力することによりオリジナル施設ジャンル名が登録されるようになっている。
【０１８２】
また、元々の施設ジャンル名とオリジナル施設ジャンル名とは施設ジャンルコードと関連付けられたテーブルデータとして記憶されるようになっており、ジャンルコードの判別処理時や、施設ジャンル名の表示処理時に読み出して使用されるようになっている。
【０１８３】
次に実施の形態（７）に係る端末装置１０Ｆにおけるマイコン１１Ｆの行う施設ジャンル名登録処理動作を図３３に示したフローチャートに基づいて説明する。
まず、ステップＳ１０１では、メニュー画面に設けられた施設ジャンル名登録ボタン（図示せず）の入力があったか否かを判断し、施設ジャンル名登録ボタンの入力がなかったと判断すれば終了する一方、施設ジャンル名登録ボタンの入力があったと判断すればステップＳ１０２に進む。ステップＳ１０２では、図３１に示した施設ジャンル名登録画面を表示する処理を行い、その後ステップＳ１０３に進む。ステップＳ１０３では、ジャンル名を登録する施設ジャンルコードが選択されたか否かを判断し、施設ジャンルコードが選択されなかったと判断すればステップＳ１０３に戻る一方、施設ジャンルコードが選択されたと判断すればステップＳ１０４に進む。
【０１８４】
ステップＳ１０４では、図３２に示したオリジナル施設ジャンル名入力画面を表示する処理を行い、その後ステップ１０５に進む。ステップＳ１０５では、入力される文字の表示処理を行い、その後ステップ１０６に進む。ステップＳ１０６では登録ボタンの入力があったか否かを判断し、登録ボタンの入力がなかったと判断すればステップＳ１０５に戻る一方、登録ボタンの入力があったと判断すればステップＳ１０７に進む。ステップＳ１０７では、入力されたオリジナル施設ジャンル名を施設ジャンルコードテーブルに記憶する処理を行い、その後処理を終了する。
【０１８５】
次に実施の形態（７）に係る情報取得システム１Ｆにおける端末装置１０Ｆと情報センタ３０Ｆとの行う処理動作を図３４に示したフロ−チャ−トに基づいて説明する。但し、図１２に示した端末装置１０Ａ及び情報センタ３０Ａの行う処理動作と同様な処理動作（ステップＳ２１〜Ｓ２４）については同一符号を付してその説明を省略する。
【０１８６】
情報センタ３０Ｆでは、ステップＳ２４において、地図データベース３２を利用して、ある地点を含む地図データエリアを判別する処理を行い、その後ステップＳ１１１に進む。ステップＳ１１１では、施設情報データベース３３Ａから判別された地図データエリア内の施設ジャンルコードで管理された施設情報を全て抽出する処理を行い、その後ステップＳ１１２に進む。ステップＳ１１２では、抽出された施設ジャンルコードで管理された施設情報をセンタ情報として端末装置１０Ｆへ送信する処理を行う。
【０１８７】
端末装置１０Ｆでは、ステップＳ１１３において、情報センタ３０Ｆからのセンタ情報（施設ジャンルコードで管理された施設情報）を受信したか否かを判断し、センタ情報を受信していないと判断すればステップＳ１１３に戻る一方、センタ情報を受信したと判断すればステップＳ１１４に進む。
【０１８８】
ステップＳ１１４では、施設ジャンルコードのテーブルデータと、受信した施設情報に含まれる施設ジャンルコードとを照合して、施設情報に含まれる施設ジャンルを判別する処理を行い、その後ステップＳ１１５に進む。
【０１８９】
ステップＳ１１５では、判別された施設ジャンルの中に嗜好施設ジャンルが含まれているか否かを判断し、嗜好施設ジャンルが含まれていると判断すればステップＳ１１６に進む。ステップＳ１１６では、施設ジャンルコードのテーブルデータに基づき、嗜好施設ジャンルにオリジナル施設ジャンル名が登録されているか否かを判断し、オリジナル施設ジャンル名が登録されていないと判断すれば、ステップＳ１１７に進み、ステップＳ１１７では、センタ端末設定の施設ジャンル名により嗜好施設ジャンルの情報を図３０に示した形態で表示出力する処理を行い、その後処理を終了する。
【０１９０】
一方、ステップＳ１１６において、オリジナル施設ジャンル名が登録されていると判断すればステップＳ１１８に進み、ステップＳ１１８では、オリジナル施設ジャンル名により嗜好施設ジャンルの情報を図３０と同様の形態で表示出力する処理を行い、その後処理を終了する。
【０１９１】
一方、ステップＳ１１５において、嗜好施設ジャンルが含まれていないと判断すれば、ステップＳ１１９に進み、ステップＳ１１９では、周辺に使用者が嗜好する施設がない旨の表示をする処理を行い、その後処理を終了する。
【０１９２】
上記実施の形態（７）に係る端末装置１０Ｆによれば、施設情報に含まれる施設ジャンルコードを判別し、判別された施設ジャンルの中から嗜好施設ジャンルの情報を抽出して出力するので、情報センタ３０Ｆ側で決められた施設ジャンルコードの施設情報をそのまま出力するのではなく、嗜好施設ジャンルに基づいて抽出された施設情報の出力を行うことができ、使用者の嗜好に応じた施設情報の出力を行うことができる。
【０１９３】
また、施設ジャンルコードの元の施設ジャンル名の代わりとなるオリジナルな施設ジャンル名を登録することができ、また登録されたオリジナル施設ジャンル名で嗜好施設情報を出力することができ、使用者に分かりやすい施設ジャンル名での出力を行うことができる。
【０１９４】
次に実施の形態（８）に係る端末装置が採用された情報取得システム１Ｇについて説明する。ただし、実施の形態（８）に係る端末装置１０Ｇは、図９、１０に示した端末装置１０Ａと略同様な構成であるので、ここでは異なる機能を有するマイコン１１Ｇと、データ記憶部１５Ｂとにのみ異なる符号を付して、その他の構成部品の説明を省略する。また、センタ端末は、図９に示した実施の形態（２）に係るセンタ端末３０Ａと略同様な構成であるので、同一符号を付してその説明を省略する。
【０１９５】
実施の形態（２）に係る端末装置１０Ａでは、嗜好施設情報登録画面を介して使用者が嗜好施設ジャンル（使用者の嗜好情報）を登録するようになっており、また、センタ情報を表示する際には、受信したセンタ情報の中から登録された嗜好施設ジャンルに該当する情報を抽出して、地図上に施設位置を表示するようになっている。一方、実施の形態（８）に係る端末装置１０Ｇでは、移動地点情報とその日時情報とを含む履歴情報を記憶していき、各移動地点における滞在時間が所定時間以上である地点の施設を使用者の嗜好施設としてデータ記憶部１５Ｂに設けられた嗜好施設データベースＡに自動的に登録していくようになっている。また、センタ情報を表示する際には、該センタ情報の中から前記嗜好施設として登録された滞在時間の長い地点の周辺施設を、前記滞在時間の長い地点からの距離に応じてランク付けして抽出し、ランクの高い（すなわち、前記滞在時間の長い地点との距離が短い）施設の情報から優先的に表示していくようになっている。
【０１９６】
次に、実施の形態（８）に係る端末装置１０Ｇの利用形態を説明する。まず、端末装置１０Ｇにおける嗜好情報の登録処理について説明する。
端末装置１０Ｇのマイコン１１Ｇは、シフトレバーポジションスイッチ（図示せず）からのシフトレバー設定信号を取り込むことができるようになっており、シフトレバ−ポジションスイッチがパーキング（Ｐ）からドライブ（Ｄ）に設定されるまでの時間をその地点における滞在時間として算出し、所定時間以上の滞在時間であれば、位置情報などとともに嗜好情報データベースＡに登録されるようになっている。
【０１９７】
図３５は、嗜好情報データベースＡのデータ構造の一例を示しており、嗜好情報データベースＡは、日付、滞在時間、地図座標、エリアコード、施設名称を含むデータ項目から構成されており、滞在時間が所定時間以上であった地点の情報が使用者の嗜好情報として登録されるようになっている。
【０１９８】
次に、実施の形態（８）に係る端末装置１０Ｇにおける嗜好施設情報の表示形態について、図３６（ａ）、（ｂ）に示した説明図に基づいて説明する。
図３６（ａ）は、現在の自車位置が地図上に表示されている画面を示しており、該画面下方には、表示エリア内の施設情報を表示させるための「施設情報」ボタンが設けられている。
【０１９９】
「施設情報」ボタンがタッチ入力されると、マイコン１１Ｇが、嗜好情報データベースＡから表示エリア内に位置する嗜好施設（滞在時間の長い地点の施設）を抽出し、該当する嗜好施設があれば、該嗜好施設を中心とした異なる半径の複数のランクエリアを地図上に設定し、該各ランクエリア内に位置する施設をセンタ情報の中から抽出する。そして、抽出された各ランクエリア内の施設数を考慮して、ランクの高い（すなわち、半径が最も小さい）エリアの情報から優先的に表示していくようになっている。
【０２００】
図３６（ｂ）は、表示エリア内に位置する嗜好施設としてＡ店、Ｂ店が抽出された場合における施設情報の表示例を示している。
ランクが最も高いランクエリアＸ内に所定数以上の施設が抽出された場合は、ランクエリアＸ内のみの施設が地図上に表示され、ランクエリアＸ内に抽出された施設が所定数未満であれば、エリアを広げてランクエリアＸ、Ｙ内の施設が地図上に表示されるようになっている。またランクエリアＺ内の施設は、画面下方に設けられた「リスト」ボタンを入力することにより、画面上に一覧形式で表示させることができるようになっている。なお、隣接する嗜好施設のランクエリアが交差しているエリア（図３６（ｂ）における斜線部分）の施設情報は、高いランクのエリアの情報として抽出されるようになっている。なお、ランクエリアの境界線は説明上記載したものであって、画面上には表示されないようになっている。
【０２０１】
次に実施の形態（８）に係る端末装置１０Ｇにおけるマイコン１１Ｇの行う嗜好施設情報登録処理動作を図３７に示したフローチャートに基づいて説明する。まず、ステップＳ１２１では、シフトレバーがパーキングに設定されたか否かを判断し、パーキングに設定されていないと判断すれば処理を終了する一方、パーキングに設定されたと判断すればステップＳ１２２に進む。
【０２０２】
ステップＳ１２２では、現在位置データ（座標データ、エリアコード、施設名など）と日時データとを取り込む処理を行い、その後ステップＳ１２３に進む。ステップＳ１２３では、シフトレバーがドライブに設定されたか否かを判断し、ドライブに設定されていないと判断すればステップＳ１２３に戻る一方、ドライブに設定されたと判断すればステップＳ１２４に進む。
【０２０３】
ステップＳ１２４では、日時データを取り込む処理を行い、その後ステップＳ１２５に進み、日時データに基づいて滞在時間の算出処理を行い、その後ステップＳ１２６に進む。ステップＳ１２６では、滞在時間が所定時間以上であるか否かを判断し、所定時間以上であると判断すればステップＳ１２７に進む。
【０２０４】
ステップＳ１２７では、取得・算出データ（位置データ、日時データ、滞在時間など）をデータ記憶部１５Ｂ内に設けられた嗜好施設データベースＡに登録する処理を行い、その後処理を終了する。一方、ステップＳ１２６において、滞在時間が所定時間未満であると判断すれば処理を終了する。
【０２０５】
次に実施の形態（８）に係る端末装置１０Ｇにおけるマイコン１１Ｇの行う施設情報表示処理動作について図３８に示したフローチャートに基づいて説明する。但し、ここでは情報センタ３０Ａからセンタ情報をすでに受信しているものとして説明する。
【０２０６】
まず、ステップＳ１３１では、画面上に設けられた「施設情報」ボタンの入力があったか否かを判断し、「施設情報」ボタンの入力がなかったと判断すれば処理を終了する一方、「施設情報」ボタンの入力があったと判断すればステップＳ１３２に進む。
【０２０７】
ステップＳ１３２では、地図座標データに基づいて嗜好情報データベースＡから表示エリア内に位置する嗜好施設のデータを抽出する処理を行い、その後ステップＳ１３３に進む。ステップＳ１３３では、嗜好施設のデータがあったか否かを判断し、嗜好施設のデータがなかったと判断すれば処理を終了する一方、嗜好施設のデータがあったと判断すればステップＳ１３４に進む。
【０２０８】
ステップＳ１３４では、抽出された嗜好施設を中心とした異なる半径の複数のランクエリア（図３６（ｂ）におけるＸ、Ｙ、Ｚ）を設定し、受信したセンタ情報の中から各ランクエリア内に位置する施設データを抽出する処理を行い、その後ステップＳ１３５に進む。
【０２０９】
ステップＳ１３５では、ランクエリアＸ内の施設が所定数以上あるか否かを判断し、ランクエリアＸ内の施設が所定数以上あると判断すればステップＳ１３６に進む。ステップＳ１３６では、ランクエリアＸ内の施設データを地図上に表示する処理を行い、その後ステップＳ１３８に進む。
【０２１０】
一方、ステップＳ１３５において、ランクエリアＸ内の施設が所定数以上ではないと判断すれば、ステップＳ１３７に進む。ステップＳ１３７では、ランクエリアＸ、Ｙ内にある施設データを地図上に表示する処理を行い、その後ステップＳ１３８へ進む。
【０２１１】
ステップＳ１３８では、図３６（ｂ）に示した「その他リスト」ボタンの入力があったか否かを判断し、「その他リスト」ボタンの入力がなかったと判断すれば処理を終了する一方、「その他リスト」ボタンの入力があったと判断すれば、ステップＳ１３９に進む。ステップＳ１３９では、ランクエリアＺ内の施設データをリスト表示する処理を行い、その後処理を終了する。
【０２１２】
上記実施の形態（８）に係る端末装置１０Ｇによれば、滞在時間が一定時間以上の地点の情報を使用者の嗜好情報として嗜好情報データベースＡに登録することができる。また、センタ情報の中から滞在時間の長い施設（嗜好情報データベースＡに登録されたもの）の周辺情報が、複数のランクエリアに基づいてランク付けされて抽出されるので、該ランクに基づいて使用者が長く滞在していた施設周辺の情報を重点的に提供することができる。
【０２１３】
なお実施の形態（８）に係る端末装置１０Ｇでは、センタ情報を表示する際、該センタ情報の中から滞在時間の長い施設の周辺施設を、複数のランクエリアに基づいてランク付けして抽出し、ランクの高い施設の情報から優先的に表示していくようになっているが、別の実施の形態では、嗜好情報データベースＡに登録された滞在時間の長い移動地点の滞在時間帯に基づいて、センタ情報の中から滞在時間の長い移動地点周辺の情報をランク付けして抽出し、ランクの高い施設の情報から優先的に表示していく構成とすることもできる。
【０２１４】
例えば、図３６（ｂ）に示したＡ店での滞在時間帯が、１８時〜２１時であったとすると、Ａ店周辺（所定半径のエリア内）では、１８時〜２１時の時間帯に営業している施設の情報をランク１位の施設情報として抽出し、営業時間が１８時〜２１時の時間帯と一部重なっている施設の情報をランク２位の施設情報として抽出し、さらに営業時間が全く重ならない施設の情報をランク３位の施設情報として抽出する処理を行わせる。
【０２１５】
そして、抽出されたランク１位の施設情報が所定数以上ある場合には、ランク１位の施設情報のみ表示し、ランク１位の施設情報が所定数未満の場合には、ランク１位と２位の施設情報を合わせて表示するようして、またランク３位の施設情報は、表示画面に設けた「その他リスト」ボタンの入力があった場合に、リスト表示させるようにすることができる。
【０２１６】
係る構成とすることにより、滞在時間の長い移動地点での滞在時間帯に基づいて、滞在時間の長い移動地点周辺の情報がランク付けされて抽出されるので、滞在時間帯が考慮された情報を使用者に提供することができる。
【０２１７】
次に実施の形態（９）に係る端末装置が採用された情報取得システム１Ｈについて説明する。ただし、実施の形態（９）に係る端末装置１０Ｈは、図９、１０に示した端末装置１０Ａと略同様な構成であるので、ここでは異なる機能を有するマイコン１１Ｈと、データ記憶部１５Ｃとにのみ異なる符号を付して、その他の構成部品の説明を省略する。また、センタ端末は、図９に示した実施の形態（２）に係るセンタ端末３０Ａと略同様な構成であるので、同一符号を付してその説明を省略する。
【０２１８】
実施の形態（２）に係る端末装置１０Ａでは、嗜好施設情報登録画面を介して使用者が嗜好施設ジャンル（使用者の嗜好情報）を登録するようになっており、また、センタ情報を表示する際には、受信したセンタ情報の中から登録された嗜好施設ジャンルに該当する情報を抽出して、地図上に施設位置を表示するようになっている。一方、実施の形態（９）に係る端末装置１０Ｈでは、センタ端末３０Ａから受信したセンタ情報を単位情報毎に１つずつ情報を切り替えて表示させることができるようになっているとともに、単位情報毎の表示時間を計時し、該単位情報毎の表示時間に基づいて、表示時間の長さに応じてランク付けされた施設情報を使用者の嗜好情報としてデータ記憶部１５Ｃに設けられた嗜好施設データベースＢに自動的に登録していくようになっている。
【０２１９】
また、センタ情報を表示する際には、嗜好施設データベースＢに登録されたランクの高い（すなわち、表示時間が長い）施設情報に該当する情報から順次表示していく構成となっている。
【０２２０】
図３９は、嗜好情報データベースＢのデータ構造の一例を示しており、嗜好情報データベースＢは、施設名称、地図座標、表示時間、更新日、ランク情報を含むデータ項目から構成されている。ランク情報には、表示時間の長さに応じて、上からＡランク、Ｂランク、Ｃランクにランク付けされた情報が登録されるようになっており、ランク付けは、例えば、嗜好情報データベースＢに格納されたデータの表示時間の長さ順に上位約３割程度がＡランク、次の４割程度がＢランク、そして下位の３割程度がＣランクに設定されるようになっている。
【０２２１】
次に、実施の形態（９）に係る端末装置１０Ｈの利用形態を図４０、図４１（ａ）、（ｂ）に示す画面表示例に基づいて説明する。
図４０は、受信したセンタ情報の中から過去に表示時間の長かった情報から優先して表示させるか否かの設定を行う表示時間ランク別表示設定画面を示しており、使用者は、該表示時間ランク別表示設定画面を通じて、過去の表示時間に基づいてセンタ情報をランク別表示させるか否かの設定を行うことができるようになっている。
【０２２２】
図４１（ａ）は、現在の自車位置が示された地図表示画面を示しており、画面下方には、受信しているセンタ情報を表示させるための「情報」ボタンが設けられている。
【０２２３】
「情報」ボタンがタッチ入力されると、マイコン１１Ｈは、表示時間ランク別表示設定がＯＮされているか否かを判断し、ＯＮされていると判断すれば、受信しているセンタ情報の中から嗜好情報データベースＢのＡランクに登録されている施設情報を抽出し、図４１（ｂ）に示した施設情報参照画面を表示させる処理を行う。また、表示時間ランク別表示設定がＯＦＦされていると判断すれば、受信したセンタ情報の１つめ（センタ端末３０Ａ側で予め決められた順（受信データ順））の情報を図４１（ｂ）に示した施設情報参照画面と同様に表示させる処理を行うようになっている。
【０２２４】
図４１（ｂ）に示した施設情報参照画面では、センタ情報に含まれる施設情報が表示されるようになっている。そして、画面下方に設けられた「前へ」ボタンがタッチ入力されると、１つ前の情報が表示され、「次へ」ボタンがタッチ入力されると、次の情報が表示されるようになっている。また、「終了」ボタンがタッチ入力されると、施設情報の表示を終了し、図４１（ａ）の画面に戻るようになっている。
【０２２５】
また、マイコン１１Ｈは、施設情報の表示時間を各施設情報毎にカウントしていくようになっており、カウントされた表示時間を、嗜好情報データベースＢに他の情報とともに登録する処理を行い嗜好情報データベースＢの更新を行うようになっている。
【０２２６】
次に実施の形態（９）に係る端末装置１０Ｈにおけるマイコン１１Ｈの行う嗜好施設情報登録・表示処理動作を図４２に示したフローチャートに基づいて説明する。
【０２２７】
まず、ステップＳ１４１では、情報センタ３０Ａからセンタ情報を受信したか否かを判断し、受信していないと判断すればステップＳ１４１に戻る一方、受信したと判断すればステップＳ１４２に進む。
【０２２８】
ステップＳ１４２では、施設情報を表示させるための「情報」ボタンの入力があったか否かを判断し、「情報」ボタンの入力がなかったと判断すればステップＳ１４２に戻る一方、「情報」ボタンの入力があったと判断すればステップＳ１４３に進む。
【０２２９】
ステップＳ１４３では、表示時間ランク別表示設定がＯＮか否かを判断し、表示時間ランク別表示設定がＯＮであると判断すれば、ステップＳ１４４に進む。ステップＳ１４４では、表示時間ランク別表示処理、すなわち、センタ情報の中から嗜好情報データベースＢに登録されている上位ランク（Ａランク）の施設情報を抽出し、表示時間が長かった順に施設情報を１つ表示する処理を行い、その後ステップＳ１４５に進む。ステップＳ１４５では、表示終了までの表示時間をカウントする処理を行い、その後ステップＳ１４６に進む。ステップＳ１４６では、表示終了したか否か、すなわち、「終了」、「前へ」、「次へ」のいずれかのボタン入力があったか否かを判断し、表示終了していないと判断すればステップＳ１４５に戻る一方、表示終了したと判断すればステップＳ１４７に進む。
【０２３０】
ステップＳ１４７では、表示された施設情報が嗜好情報データベースＢに登録されているか否かを判断し、登録済であると判断すればステップＳ１４８に進み、カウントした表示時間や更新日データなどを更新する処理を行う一方、未登録であると判断すればステップＳ１４９に進み、嗜好情報データベースＢに新規登録する処理を行い、その後ステップＳ１５０に進む。
【０２３１】
ステップＳ１５０では、表示終了が切替ボタン（「前へ」ボタン、又は「次へ」ボタン）によるものか否かを判断し、表示終了が切替ボタンによるものでない、すなわち「終了」ボタン入力であったと判断すれば処理を終了する一方、表示終了が切替ボタンによるものであったと判断すればステップＳ１４３に戻り、処理を繰り返す。
【０２３２】
一方、ステップＳ１４３において、表示時間ランク別表示設定がＯＮではない、すなわちＯＦＦ設定であると判断すればステップＳ１５１に進む。ステップＳ１５１では、通常表示処理、すなわち、センタ情報をセンタ端末３０Ａ側で決められた順番で表示する処理を行い、その後ステップＳ１４５に進む。
【０２３３】
上記実施の形態（９）に係る端末装置１０Ｈによれば、各施設情報（単位情報）毎の表示時間の長さに基づいて使用者の嗜好性を判断し、表示時間が長い情報を使用者の嗜好度合いが高い情報としてランク付けして嗜好情報データベースＢに登録することができる。また、センタ情報の中から嗜好情報データベースＢに登録された施設情報に該当する情報がランク順に抽出されるので、表示時間が長かった施設情報やその関連情報を優先的に使用者に提供することができる。
【０２３４】
次に実施の形態（１０）に係る端末装置が採用された情報取得システム１Ｉについて説明する。ただし、実施の形態（１０）に係る端末装置１０Ｉは、図９、１０に示した端末装置１０Ａと略同様な構成であるので、ここでは異なる機能を有するマイコン１１Ｉと、データ記憶部１５Ｄとにのみ異なる符号を付して、その他の構成部品の説明を省略する。また、センタ端末は、図９に示した実施の形態（２）に係るセンタ端末３０Ａと略同様な構成であるので、同一符号を付してその説明を省略する。
【０２３５】
実施の形態（２）に係る端末装置１０Ａでは、嗜好施設情報登録画面を介して使用者が嗜好施設ジャンル（使用者の嗜好情報）を登録するようになっており、また、センタ情報を表示する際には、受信したセンタ情報の中から登録された嗜好施設ジャンルに該当する情報を抽出して、地図上に施設位置を表示するようになっている。一方、実施の形態（１０）に係る端末装置１０Ｉでは、目的地に設定された地点の情報と、目的地設定回数に基づいてランク付けされたランク情報とを使用者の嗜好情報としてデータ記憶部１５Ｄに設けられた目的地情報データベースに自動的に登録していくようになっている。また、センタ情報を表示する際には、受信したセンタ情報の中から目的地情報データベースに登録された地点のランクに応じて設定された所定エリア（ランクが高いの目的地地点周辺ほど、施設情報を抽出するエリアが広く設定されるようになっている）から周辺施設情報が抽出されて表示されるようになっている。
【０２３６】
次に、実施の形態（１０）に係る端末装置１０Ｉの利用形態を説明する。まず、端末装置１０Ｉにおける目的地情報の登録処理について説明する。
端末装置１０Ｉでは、目的地設定画面（図示せず）を介して目的地を設定することができるようになっており、マイコン１１Ｉは、目的地に設定された地点に関する情報をデータ記憶部１５Ｄ内の目的地情報データベースに登録する処理を行うようになっている。
【０２３７】
図４３は、目的地情報データベースのデータ構造の一例を示しており、目的地情報データベースは、目的地名称、地図座標、目的地設定回数、更新日、ランク情報を含むデータ項目から構成されている。ランク情報には、目的地設定回数に基づいて、上からＡランク、Ｂランク、Ｃランクにランク付けされた情報が登録されるようになっている。なお、ランク付けは、例えば目的地情報データベースに格納された目的地の目的地設定回数が多い順に上位約３割がＡランク、次の４割がＢランク、そして下位の３割がＣランクに設定されるようになっている。
【０２３８】
次に端末装置１０Ｉにおけるセンタ情報の表示形態を図４４、図４５（ａ）、（ｂ）に示す画面表示例に基づいて説明する。
メニュー画面（図示せず）に設定されている目的地ランク別表示設定ボタン（図示せず）が入力されると、図４４に示した目的地ランク別表示設定画面が表示部１６に表示される。使用者は、目的地ランク別表示設定画面を通じて、受信したセンタ情報の中から目的地情報データベースに登録された目的地地点のランクに応じて設定された所定エリア内の周辺情報を表示させるか否かの設定を行うことができるようになっている。
【０２３９】
また、図４５（ａ）は、現在の自車位置が示された地図表示画面を示しており、画面下方には、受信したセンタ情報を表示させるための「情報」ボタンが設けられている。
【０２４０】
「情報」ボタンがタッチ入力されると、マイコン１１Ｉは、目的地ランク別表示設定がＯＮされているか否かを判断し、ＯＮされていると判断すれば、まず、目的地情報データベースの中から画面上の地図表示エリア内の目的地情報を抽出し、抽出された目的地情報のランクに応じて施設情報の表示エリアを設定し、該表示エリア内に位置する施設の情報をセンタ情報の中から抽出し、例えば、図４５（ｂ）に示した施設情報画面が表示されるようになっている。
【０２４１】
図４５（ｂ）に示した施設情報画面では、目的地情報データベースの中からＡ店（Ａランク）、Ｂ店（Ｂランク）、Ｃ店（Ｃランク）が抽出された場合の表示例を示している。
【０２４２】
ＡランクのＡ店周辺の施設情報表示エリアは、ＢランクのＢ店周辺の施設情報表示エリアよりも広くなるように設定されており、最下位のＣランクのＣ店の場合は、Ｃ店のみ表示され、その周辺情報は表示されないようになっている。また、目的地ランク別表示設定がＯＦＦされていると判断すれば、地図表示エリア内の受信したセンタ情報を全て表示させる処理を行うようになっている。
【０２４３】
次に実施の形態（１０）に係る端末装置１０Ｉにおけるマイコン１１Ｉの行う目的地情報登録処理動作を図４６に示したフローチャートに基づいて説明する。
まず、ステップＳ１６１では、所定の目的地設定画面（例えば、５０検索、ジャンル検索、電話番号検索など）を通じて目的地が設定されたか否かを判断し、目的地が設定されたと判断すれば、ステップＳ１６２に進む。
【０２４４】
ステップＳ１６２では、設定された目的地の情報（名称、地図座標、目的地設定回数、更新日）を目的地情報データベースに登録する処理を行い、その後ステップＳ１６３に進む。ステップＳ１６３では、目的地情報データベースの目的地設定回数のデータに基づいて、登録されている目的地施設をランク付けする処理を行い、その後処理を終了する。
【０２４５】
一方、ステップＳ１６１において、目的地設定画面を通じて目的地が設定されていないと判断すればステップＳ１６４に進む。ステップＳ１６４では、センタ端末３０Ａからセンタ情報を受信したか否かを判断し、センタ情報を受信していないと判断すればステップＳ１６１に戻る一方、センタ情報を受信したと判断すればステップＳ１６５に進む。ステップＳ１６５では、受信したセンタ情報の一覧表示ボタンの入力があったか否かを判断し、一覧表示ボタンの入力がなかったと判断すれば処理を終了する一方、一覧表示ボタンの入力があったと判断すればステップＳ１６６に進む。
【０２４６】
ステップＳ１６６では、センタ情報の施設情報（施設名、施設ジャンル、住所、電話番号など）を一覧表示する処理を行い、その後ステップＳ１６７に進む。ステップＳ１６７では、施設情報の一覧表示画面を通じて目的地が設定されたか否かを判断し、目的地が設定されていないと判断すれば処理を終了する一方、目的地が設定されたと判断すればステップＳ１６２に進み、目的地設定された施設情報を目的地情報データベースに登録する処理を行う。
【０２４７】
次に実施の形態（１０）に係る端末装置１０Ｉにおけるマイコン１１Ｉの行う施設情報表示処理動作について図４７に示したフローチャートに基づいて説明する。但し、この場合、情報センタ３０Ａからセンタ情報をすでに受信しているものとして説明する。
【０２４８】
まず、ステップＳ１７１では、図４５（ａ）に示した「情報」ボタンの入力があったか否かを判断し、「情報」ボタンの入力がなかったと判断すれば処理を終了する一方、「情報」ボタンの入力があったと判断すればステップＳ１７２に進む。
【０２４９】
ステップＳ１７２では、目的地情報データベースの中から地図表示エリア内の目的地施設の情報を抽出する処理を行い、その後ステップＳ１７３に進む。ステップＳ１７３では、地図表示エリア内に目的地情報データベースに登録された目的地施設があったか否かを判断し、目的地施設がなかったと判断すれば処理を終了する一方、目的地施設があったと判断すればステップＳ１７４に進む。
【０２５０】
ステップＳ１７４では、抽出された目的地施設を中心として、該目的地施設のランク情報に応じた周辺施設情報の表示エリア（目的地ランク別表示エリア）を設定する処理を行い、その後ステップＳ１７５に進む。
【０２５１】
ステップＳ１７５では、センタ情報の中から設定された目的地ランク別表示エリア内の施設の情報を抽出する処理を行い、その後ステップＳ１７６に進む。ステップＳ１７６では、抽出された目的地施設と該目的地施設の周辺施設の情報（施設名称）を地図上に表示する処理を行い、その後処理を終了する。
【０２５２】
上記実施の形態（１０）に係る端末装置１０Ｉによれば、目的地設定回数に基づいて目的地地点に関する使用者の嗜好性を判断し、目的地設定回数が多い目的地地点の情報を使用者の嗜好情報としてランク付けして目的地情報データベースに登録することができる。また、センタ情報の中から目的地情報データベースに登録された目的地地点のランクに応じて設定された所定エリア内の情報が抽出されるので、目的地設定回数が多い地点の情報やその周辺情報を重点的に使用者に提供することができる。
【０２５３】
次に実施の形態（１１）に係る端末装置が採用された情報取得システム１Ｊについて説明する。ただし、実施の形態（１１）に係る端末装置１０Ｊは、図９、１０に示した端末装置１０Ａと略同様な構成であるので、ここでは異なる機能を有するマイコン１１Ｊと、データ記憶部１５Ｅとにのみ異なる符号を付して、その他の構成部品の説明を省略する。また、センタ端末は、図９に示した実施の形態（２）に係るセンタ端末３０Ａと略同様な構成であるので、同一符号を付してその説明を省略する。
【０２５４】
実施の形態（１１）に係る端末装置１０Ｊでは、表示部１６に表示された地図上の任意の地点に対してコメント情報（文字情報）を入力することができるようになっており、入力されたコメント情報（指定された地点の位置情報も含む）を通信手段２１を介して他の端末装置へ送信することができるようになっている。
【０２５５】
また、データ記憶部１５Ｅには、語句（例えば、おいしい等）と、該語句と関連付けられた施設ジャンル（例えば、「おいしい」に対して「飲食店」）とが関連付けて登録されている辞書データベースと、使用者が入力したコメント情報の構成語句が使用頻度に応じてランク付けされて登録されている嗜好語句データベースとが設けられている。
【０２５６】
図４８は、嗜好語句データベースのデータ構造の一例を示しており、嗜好語句データベースには、使用者が入力したコメント情報の構成語句（嗜好語句）と、各嗜好語句と関連付けられた施設ジャンル（辞書データベースから抽出されたもの）と、各嗜好語句のコメント入力回数とが、該コメント入力回数が多い順にランク付されて登録されるようになっている。
【０２５７】
また、端末装置１０Ｊでは、他の端末装置から送信されたコメント情報を通信手段２１を介して受信し、受信したコメント情報を地図上に表示させることができるようになっており、後述する嗜好コメント情報表示設定とすることにより嗜好語句データベースに登録されている所定回数以上入力された嗜好語句を含むコメント情報、及び／又は所定回数以上入力された嗜好語句の施設ジャンルと同じジャンルの施設に関するコメント情報を表示させることができるようになっている。
【０２５８】
次に、実施の形態（１１）に係る端末装置１０Ｊの利用形態を説明する。まず、コメント情報の入力・送信・登録方法について図４９（ａ）〜（ｃ）に示す画面表示例に基づいて説明する。
【０２５９】
図４９（ａ）は、コメント情報入力地点設定画面を示しており、この画面を通じてコメント情報を入力したい施設が表示された地図画面を表示させることができるようになっており、コメント情報を入力したい施設をタッチ入力すると、図４９（ｂ）に示したコメント情報入力画面が表示される。
【０２６０】
コメント情報入力画面では、操作部１７を構成するリモコンのテンキ−などを使用して、コメント（施設に対する文字情報）を入力することができるようになっており、コメント入力後、画面下方の「送信」ボタンをタッチ入力すると、入力されたコメントと入力地点の情報（位置情報や施設情報など）とを含むコメント情報が所定の送信先の端末装置（図示していないコメント情報送信先設定画面で設定されている）へ送信されるようになっている。
【０２６１】
また画面下方の「辞書登録」ボタンをタッチ入力すると、図４９（ｃ）に示した辞書データベース登録設定画面が表示される。登録語句指定欄には、入力されたコメントが表示され、登録する語句を指定するための枠（破線で表示）が表示され、画面下方に設けられた矢印キーにより枠を移動させて、登録する語句を指定することができるようになっている。また、施設ジャンル指定欄には、登録語句と関連付ける施設ジャンルが表示され、左右に設けられた上下キーにより選択することができるようになっている。
【０２６２】
そして「登録」ボタンがタッチ入力されると、登録語句指定欄において枠で指定された語句と、施設ジャンル指定欄で指定された施設ジャンルとが、辞書データベースに新規登録されるようになっている。
【０２６３】
次に、コメント情報の表示方法について図５０、５１に示した画面表示例に基づいて説明する。
メニュー画面（図示せず）に設けられている嗜好コメント情報表示設定ボタン（図示せず）が入力されると、図５０に示した嗜好コメント情報表示設定画面が表示部１６に表示される。使用者は、該嗜好コメント情報設定画面を通じて、嗜好語句データベースに登録されている所定回数以上入力された語句を含むコメント情報、及び／又は所定回数以上入力された嗜好語句の施設ジャンルと同じジャンルの施設に関するコメント情報のみを表示させるか否かの設定を行うことができるようになっている。
【０２６４】
そして、他の端末装置からのコメント情報を受信すると画面上にコメント情報を受信したことを示すコメント情報受信アイコン（図示せず）が表示され、該コメント情報受信アイコンがタッチ入力されると、マイコン１１Ｊは、嗜好コメント情報表示設定がＯＮか否かを判断し、ＯＮと判断すれば、嗜好語句データベースに登録されている所定回数以上入力された語句を含むコメント情報、及び／又は所定回数以上入力された語句の施設ジャンルと同じジャンルの施設に関するコメント情報を表示させる処理を行い、例えば、図５１に示したコメント情報表示画面が表示される。図５１では、「楽しい」、「おいしい」という語句が所定回数以上入力されている場合のコメント情報の表示例である。一方、嗜好コメント情報表示設定がＯＦＦと判断すれば、受信したコメント情報をすべて表示させる処理を行うようになっている。
【０２６５】
次に実施の形態（１１）に係る端末装置１０Ｊにおけるマイコン１１Ｊの行う嗜好語句情報登録処理動作を図５２に示したフローチャートに基づいて説明する。
まず、ステップＳ１８１では、コメント情報入力指示（すなわち、図４９（ａ）に示したコメント情報入力地点設定画面でのコメント入力地点の指定操作）があったか否かを判断し、コメント情報入力指示がなかったと判断すればステップＳ１８１に戻る一方、コメント情報入力指示があったと判断すればステップＳ１８２に進む。ステップＳ１８２では、図４９（ｂ）に示したコメント情報入力画面を表示する処理を行い、その後ステップＳ１８３に進む。
【０２６６】
ステップＳ１８３では、コメントが入力されたか否かを判断し、コメントが入力されていないと判断すればステップＳ１８３に戻る一方、コメントが入力されたと判断すればステップＳ１８４に進む。
【０２６７】
ステップＳ１８４では、入力されたコメント中の語句が辞書データベースに登録されているか否かを判断し、辞書データベースに登録されていないと判断すればステップＳ１８６に進む一方、辞書データベースに登録されていると判断すればステップＳ１８５に進む。ステップＳ１８５では、辞書データベースに登録されているコメント中の語句を嗜好語句データベースに登録する処理を行い、その後ステップＳ１８６に進む。なお、この場合、嗜好語句データベースに既に登録されている語句は、入力回数の更新を行い、未登録の語句は、新規登録されるようになっている。
【０２６８】
ステップＳ１８６では、コメント情報入力画面の登録ボタンのタッチ入力があったか否かを判断し、登録ボタンのタッチ入力がなかったと判断すればステップＳ１８９に進む一方、登録ボタンのタッチ入力があったと判断すればステップＳ１８７に進む。ステップＳ１８７では、辞書データベース登録設定画面を表示する処理を行い、その後ステップＳ１８８に進む。ステップＳ１８８では、辞書データベース登録設定画面を通じて、コメント中の語句を辞書データベースに新規登録する処理を行い、その後ステップＳ１８９に進む。
【０２６９】
ステップＳ１８９では、コメント情報入力画面の送信ボタンのタッチ入力があったか否かを判断し、送信ボタンのタッチ入力がなかったと判断すれば処理を終了する一方、送信ボタンのタッチ入力があったと判断すれば、ステップＳ１９０に進み、ステップＳ１９０では、送信先として指定された端末装置へ入力されたコメント情報を送信する処理を行い、その後処理を終了する。
【０２７０】
次に実施の形態（１１）に係る端末装置１０Ｊにおけるマイコン１１Ｊの行うコメント情報表示処理動作について図５３に示したフローチャートに基づいて説明する。
まず、ステップＳ１９１では、他の端末装置からコメント情報を受信したか否かを判断し、コメント情報を受信していないと判断すればステップＳ１９１に戻る一方、コメント情報を受信したと判断すればステップＳ１９２に進む。ステップＳ１９２では、嗜好コメント情報表示設定がＯＮか否かを判断し、嗜好コメント情報表示設定がＯＮであると判断すればステップＳ１９３に進む。
【０２７１】
ステップＳ１９３では、受信したコメント情報の中から嗜好語句データベースに登録されている入力回数ＮがＮ１回（Ｎ１は整数）以上の嗜好語句が含まれているコメント情報と、前記嗜好語句の施設ジャンルと同じジャンルの施設に関するコメント情報とを抽出する処理を行い、その後ステップＳ１９４に進む。
【０２７２】
ステップＳ１９４では、受信したコメント情報の中から嗜好語句データベースに登録されている入力回数ＮがＮ２以上Ｎ１未満（Ｎ１＞Ｎ２）の嗜好語句が含まれているコメント情報と、前記嗜好語句の施設ジャンルと同じジャンルの施設に関するコメント情報とを抽出する処理を行い、その後ステップＳ１９５に進む。
【０２７３】
ステップＳ１９５では、入力回数ＮがＮ１回以上の嗜好語句を含むコメント情報と、前記嗜好語句の施設ジャンルと同じジャンルの施設に関するコメント情報とを表示する処理（コメントの色を目立つ色にしたり、文字サイズを大きくしたりして強調表示する処理）を行い、その後ステップＳ１９６に進む。
【０２７４】
ステップＳ１９６では、入力回数がＮ２以上Ｎ１未満の嗜好語句を含むコメント情報と、前記嗜好語句の施設ジャンルと同じジャンルの施設に関するコメント情報とを表示する処理を行い、その後処理を終了する。
【０２７５】
一方ステップＳ１９２において、嗜好コメント情報表示設定がＯＮではないと判断すればステップＳ１９７に進む。ステップＳ１９７では、通常のコメント表示処理（すなわち、受信したコメント情報を全て表示する処理）を行い、その後処理を終了する。
【０２７６】
上記実施の形態（１１）に係る端末装置１０Ｊによれば、入力されたコメント情報の構成語句の使用頻度に基づいて嗜好語句と、該嗜好語句と関連付けられた地点情報（施設ジャンル）とをランク付けして嗜好語句データベースに登録することができる。また、通信手段２１を介して受信したコメント情報の中から嗜好語句データベースに登録された所定回数以上使用された使用頻度の高い嗜好語句を含むコメント情報、及び／又は前記嗜好語句の施設ジャンルと同じジャンルの施設に関するコメント情報を優先的に使用者に提供することができる。
【０２７７】
次に実施の形態（１２）に係る端末装置が採用された情報取得システム１Ｋについて説明する。但し、センタ端末は、図９に示した実施の形態（２）に係るセンタ端末３０Ａと同様な構成であるので、同一符号を付してその説明を省略する。
【０２７８】
図５４は、実施の形態（１２）に係る端末装置１０Ｋの要部を概略的に示したブロック図である。但し、実施の形態（１２）に係る端末装置１０Ｋは、マイコン１１Ｋ、データ記憶部１５Ｆ、及び音声認識マイク２２を除いて図１０に示した端末装置１０Ａと略同様の構成であるので、その他の構成部品の説明はここでは省略することとする。
【０２７９】
実施の形態（１２）に係る端末装置１０Ｋは、通信手段２１（この場合、携帯電話）を使用したハンズフリー通話機能を備えており、音声によるダイヤルアップや通話時の音声を取り込むための音声認識マイク２２がマイコン１１Ｋに接続されており、マイコン１１Ｋは、ハンズフリー通話に関する各種制御処理を行うようになっている。
【０２８０】
データ記憶部１５Ｆには、通信手段２１による電話の発着信の履歴情報を記憶するための発着信履歴情報データベースが設けられており、通信手段２１を使用した電話の発着信情報が自動的に登録されるようになっている。
【０２８１】
図５５は、発着信履歴情報データベースのデータ構造の一例を示しており、発着信履歴情報データベースは、名前、電話番号、メモ情報、発着信回数、ランク情報を含むデータ項目から構成されている。
【０２８２】
名前、電話番号、及びメモ情報は、通信手段２１（携帯電話）の電話帳メニューにおける個人登録情報を通信手段２１から読み込んで登録されるようになっており、発着信回数は、発信又は着信毎に更新された回数が登録されるようになっている。また、ランク情報は、発着信回数に基づいて、上からＡランク、Ｂランク、Ｃランクにランク付けされた情報が登録されるようになっている。なお、ランク付けは、発着信回数が多い方から上位約３割の登録者がＡランク、次の約４割の登録者がＢランク、そして下位の約３割の登録者がＣランクに設定されるようになっている。
【０２８３】
マイコン１１Ｋは、発着信履歴情報データベースに登録された発着信回数に基づいて登録相手をランク付けし、ランク別に登録相手の登録情報に関連する情報をセンタ情報の中から抽出し、表示させる処理を行うようになっている。
【０２８４】
次に、実施の形態（１２）に係る端末装置１０Ｋの利用形態を図５６、図５７（ａ）、（ｂ）に示した画面表示例に基づいて説明する。
メニュー画面（図示せず）に設けられている発着信履歴ランク別表示設定ボタン（図示せず）が入力されると、図５６に示した発着信履歴ランク別表示設定画面が表示部１６に表示される。使用者は、該発着信履歴ランク別表示設定画面を通じて、発着信履歴情報データベースに登録された登録者の発着信回数に基づいて設定されたランク別にセンタ情報を表示させるか否かの設定を行うことができるようになっている。
【０２８５】
図５７（ａ）、（ｂ）は、発着信履歴ランク別嗜好情報の表示部１６への表示例を示す図である。
マイコン１１Ｋは、受信したセンタ情報の表示要求を検出し、発着信履歴ランク別表示設定に設定されていると判断すると、受信したセンタ情報の中から発着信履歴情報データベース中のランク情報に基づいて、登録者の情報（名前、電話番号、メモ情報）に関連する情報を抽出し、抽出された情報を表示させる処理を行うようになっており、まず、図５７（ａ）に示したように、抽出されたセンタ情報の見出し一覧表が表示されるようになっている。
【０２８６】
見出し項目数が画面に納まらない数以上あれば、画面下方に「前へ」、「次へ」ボタンが表示され、一覧表の表示を切り換えることができるようになっている。さらに、一覧表中の各項目の詳細内容が見たい場合には、見たい項目をタッチ入力すると、図５７（ｂ）に示した詳細表示画面が表示されるようになっており、この画面を通じて、使用者は詳細内容を参照することができるようになっている。
【０２８７】
次に実施の形態（１２）に係る端末装置１０Ｋにおけるマイコン１１Ｋの行う発着信履歴情報登録処理動作について図５８に示したフローチャートに基づいて説明する。
まず、ステップＳ２０１では、通信手段２１（携帯電話）の発信又は着信があったか否かを判断し、携帯電話の発信又は着信がなかったと判断すればステップＳ２０１に戻る一方、携帯電話の発信又は着信があったと判断すればステップＳ２０２に進む。
【０２８８】
ステップＳ２０２では、発着信情報を発着信履歴情報データベースに登録する処理、すなわち、通信手段２１（携帯電話）から電話帳メニュ−の登録情報を読み込んで、名前、電話番号、メモ情報などを登録するとともに、新規の登録相手であれば発着信回数を１にして登録し、すでに登録されている相手であれば発着信回数を更新する処理を行い、その後ステップＳ２０３に進む。
【０２８９】
ステップＳ２０３では、発着信履歴情報データベースの発着信回数に基づいて、発着信履歴情報データベース内の登録相手のランク付けを更新登録する処理を行い、その後処理を終了する。
【０２９０】
次に実施の形態（１２）に係る端末装置１０Ｋにおけるマイコン１１Ｋの行う嗜好情報表示処理動作について図５９に示したフローチャートに基づいて説明する。但し、ここでは情報センタ３０Ａからセンタ情報をすでに受信しているものとして説明する。
【０２９１】
ステップＳ２１１では、センタ情報の表示要求があったか否か（すなわち、センタ情報受信時に画面に表示される情報表示ボタンの入力があったか否か）を判断し、表示要求がなかったと判断すればステップＳ２１１に戻る一方、表示要求があったと判断すればステップＳ２１２に進む。ステップＳ２１２では、発着信履歴ランク別表示設定がＯＮか否かを判断し、発着信履歴ランク別表示設定がＯＮであると判断すればステップＳ２１３に進む。
【０２９２】
ステップＳ２１３では、Ａランク（最も高いランク）の登録相手の登録情報（名前、電話番号、メモ情報の語句など）に関連する情報（Ａランク情報）をセンタ情報の中から抽出する処理を行い、その後ステップＳ２１４に進む。ステップＳ２１４では、抽出されたＡランク情報の数が所定数以上か否かを判断し、所定数以上であると判断すればステップＳ２１５に進む。ステップＳ２１５では、抽出されたＡランク情報を図５９（ａ）、（ｂ）に示した形態で表示する処理を行い、その後処理を終了する。
【０２９３】
一方、ステップＳ２１４において、Ａランク情報が所定数以上ではないと判断すればステップＳ２１６に進む。ステップＳ２１６では、Ｂランクの登録相手の登録情報に関連する情報（Ｂランク情報）をセンタ情報の中から抽出する処理を行い、その後ステップＳ２１７に進む。ステップＳ２１７では、抽出されたＡ、Ｂランク情報（Ａランク及びＢランクの登録相手の登録情報に関連する情報）の数が所定数以上であるか否かを判断し、所定数以上であると判断すればステップＳ２１８に進む。ステップＳ２１８では、抽出されたＡ、Ｂランク情報を図５９（ａ）、（ｂ）と同様な形態で表示する処理を行い、その後処理を終了する。
【０２９４】
一方、ステップＳ２１７において、Ａ、Ｂランク情報が所定数以上ではないと判断すればステップＳ２１９に進む。ステップＳ２１９では、Ｃランクの登録相手の登録情報に関連する情報（Ｃランク情報）をセンタ情報の中から抽出する処理を行い、その後ステップＳ２２０に進む。ステップＳ２２０では、抽出されたＡ、Ｂ、Ｃランク情報（Ａ、Ｂ、及びＣランクの登録相手の登録情報に関連する情報）を図５９（ａ）、（ｂ）と同様な形態で表示する処理を行い、その後処理を終了する。
【０２９５】
一方、ステップＳ２１２において、発着信履歴ランク別表示設定がＯＮではないと判断すればステップＳ２２１に進む。ステップＳ２２１では、センタ情報の通常表示処理を行い、その後処理を終了する。
【０２９６】
上記実施の形態（１２）に係る端末装置１０Ｋによれば、通信手段２１から読み取った発着信相手の情報と、該発着信相手の発着信回数に応じてランク付けされた情報とを使用者の嗜好情報として発着信履歴情報データベースに登録することができる。また、センタ情報の中から発着信相手の登録情報に関連する情報がランク毎に抽出されるので、ランクの高い着発信相手の登録情報に関連する情報から優先的に使用者に提供することができる。
【図面の簡単な説明】
【図１】本発明の実施の形態（１）に係る端末装置が採用された情報取得システムを概略的に示したブロック図である。
【図２】情報センタの施設情報データベースのデータ構造を説明するための図である。
【図３】実施の形態（１）に係る端末装置の要部を概略的に示したブロック図である。
【図４】表示部に表示される嗜好施設情報登録画面の表示例を示す図である。
【図５】（ａ）、（ｂ）は、表示部に表示される使用者の嗜好施設情報の表示例を示す図である。
【図６】実施の形態（１）に係る端末装置におけるマイコンの行う嗜好施設登録処理動作を示したフロ−チャ−トである。
【図７】実施の形態（１）に係る端末装置におけるマイコンの行う表示処理動作を示したフロ−チャ−トである。
【図８】表示部に表示される嗜好施設情報表示画面の別の表示例を示す図である。
【図９】実施の形態（２）に係る端末装置が採用された情報取得システムを概略的に示したブロック図である。
【図１０】実施の形態（２）に係る端末装置の要部を概略的に示したブロック図である。
【図１１】（ａ）、（ｂ）は、実施の形態（２）に係る端末装置における嗜好施設情報の表示形態を説明するための画面表示例を示す図である。
【図１２】実施の形態（２）に係る情報取得システムにおける端末装置と情報センタとの行う処理動作を示したフロ−チャ−トである。
【図１３】表示部に表示される嗜好施設情報設定画面の表示例を示す図である。
【図１４】表示部に表示されるユーザ嗜好施設順位登録画面の表示例を示す図である。
【図１５】表示部に表示される嗜好施設分類条件設定画面の表示例を示す図である。
【図１６】データ記憶部に記憶される履歴情報テーブルのデータ構造を説明するための図である。
【図１７】データ記憶部に記憶される嗜好施設順位テーブルＡのデータ構造を説明するための図である。
【図１８】データ記憶部に記憶される嗜好施設順位テーブルＢのデータ構造を説明するための図である。
【図１９】（ａ）、（ｂ）は、実施の形態（３）に係る端末装置における嗜好施設情報の表示形態を説明するための画面表示例を示す図である。
【図２０】実施の形態（３）に係る端末装置におけるマイコンの行う施設情報登録処理動作を示したフロ−チャ−トである。
【図２１】実施の形態（３）に係る情報取得システムにおける端末装置と情報センタとの行う処理動作を示したフロ−チャ−トである。
【図２２】表示部に表示される嗜好施設情報表示画面の表示例を示す図である。
【図２３】実施の形態（４）に係る情報取得システムにおける端末装置と情報センタとの行う処理動作を示したフロ−チャ−トである。
【図２４】表示部に表示される嗜好施設情報表示画面の表示例を示す図である。
【図２５】表示部に表示される不要アドレス情報登録画面の表示例を示す図である。
【図２６】実施の形態（５）に係る情報取得システムにおける端末装置と情報センタとの行う処理動作を示したフロ−チャ−トである。
【図２７】表示部に表示される嗜好施設情報表示画面の表示例を示す図である。
【図２８】実施の形態（６）に係る情報取得システムにおける端末装置と情報センタとの行う処理動作を示したフロ−チャ−トである。
【図２９】情報センタの施設情報データベースのデータ構造の一部を説明するための図である。
【図３０】表示部に表示される嗜好施設情報表示画面の表示例を示す図である。
【図３１】表示部に表示される施設ジャンル名登録画面の表示例を示す図である。
【図３２】表示部に表示されるオリジナル施設ジャンル名入力画面の表示例を示す図である。
【図３３】実施の形態（７）に係る端末装置におけるマイコンの行う施設ジャンル名登録処理動作を示したフロ−チャ−トである。
【図３４】実施の形態（７）に係る情報取得システムにおける端末装置と情報センタとの行う処理動作を示したフロ−チャ−トである。
【図３５】データ記憶部に記憶される嗜好情報データベースＡのデータ構造の一例を説明するための図である。
【図３６】（ａ）、（ｂ）は、実施の形態（８）に係る端末装置における嗜好施設情報の表示形態を説明するための画面表示例を示す図である。
【図３７】実施の形態（８）に係る端末装置におけるマイコンの行う嗜好施設情報登録処理動作を示したフローチャートである。
【図３８】実施の形態（８）に係る端末装置におけるマイコンの行う施設情報表示処理動作を示したフローチャートである。
【図３９】データ記憶部に記憶される嗜好情報データベースＢのデータ構造の一例を説明するための図である。
【図４０】表示部に表示される表示時間ランク別表示設定画面の表示例を示す図である。
【図４１】（ａ）、（ｂ）は、実施の形態（９）に係る端末装置における嗜好施設情報の表示形態を説明するための画面表示例を示す図である。
【図４２】実施の形態（９）に係る端末装置におけるマイコンの行う嗜好施設情報登録・表示処理動作を示したフローチャートである。
【図４３】データ記憶部に記憶される目的地情報データベースのデータ構造の一例を説明するための図である。
【図４４】表示部に表示される目的地ランク別表示設定画面の表示例を示す図である。
【図４５】（ａ）、（ｂ）は、実施の形態（１０）に係る端末装置における嗜好施設情報の表示形態を説明するための画面表示例を示す図である。
【図４６】実施の形態（１０）に係る端末装置におけるマイコンの行う目的地情報登処理動作を示したフローチャートである。
【図４７】実施の形態（１０）に係る端末装置におけるマイコンの行う施設情報表示処理動作を示したフローチャートである。
【図４８】データ記憶部に記憶される嗜好語句データベースのデータ構造の一例を説明するための図である。
【図４９】表示部に表示される設定・入力画面の表示例を示す図であり、（ａ）はコメント情報入力地点設定画面、（ｂ）はコメント情報入力画面、（ｃ）は辞書データベース登録設定画面を示している。
【図５０】表示部に表示される嗜好コメント情報表示設定画面の表示例を示す図である。
【図５１】実施の形態（１１）に係る端末装置における嗜好コメント情報の表示形態を説明するための画面表示例を示す図である。
【図５２】実施の形態（１１）に係る端末装置におけるマイコンの行うコメント情報の入力・登録・送信処理動作を示したフローチャートである。
【図５３】実施の形態（１１）に係る端末装置におけるマイコンの行うコメント情報表示処理動作を示したフローチャートである。
【図５４】実施の形態（１２）に係る端末装置の要部を概略的に示したブロック図である。
【図５５】データ記憶部に記憶される発着信履歴情報データベースのデータ構造の一例を説明するための図である。
【図５６】表示部に表示される発着信履歴ランク別表示設定画面の表示例を示す図である。
【図５７】（ａ）、（ｂ）は、実施の形態（１２）に係る端末装置における嗜好情報の表示形態を説明するための画面表示例を示す図である。
【図５８】実施の形態（１２）に係る端末装置におけるマイコンの行う発着信履歴情報登録処理動作を示したフローチャートである。
【図５９】実施の形態（１２）に係る端末装置におけるマイコンの行う嗜好情報表示処理動作を示したフローチャートである。
【符号の説明】
１０、１０Ａ〜１０Ｋ  端末装置
１１、１１Ａ〜１１Ｋ  マイコン
１５、１５Ａ〜１５Ｆ  データ記憶部
２０  情報受信装置
２１  通信手段
３０、３０Ａ〜３０Ｆ  情報センタ
【図１】
2005037141.tif 000003
【図２】
2005037141.tif 000004
【図３】
2005037141.tif 000005
【図４】
2005037141.tif 000006
【図５】
2005037141.tif 000007
【図６】
2005037141.tif 000008
【図７】
2005037141.tif 000009
【図８】
2005037141.tif 000010
【図９】
2005037141.tif 000011
【図１０】
2005037141.tif 000012
【図１１】
2005037141.tif 000013
【図１２】
2005037141.tif 000014
【図１３】
2005037141.tif 000015
【図１４】
2005037141.tif 000016
【図１５】
2005037141.tif 000017
【図１６】
2005037141.tif 000018
【図１７】
2005037141.tif 000019
【図１８】
2005037141.tif 000020
【図１９】
2005037141.tif 000021
【図２０】
2005037141.tif 000022
【図２１】
2005037141.tif 000023
【図２２】
2005037141.tif 000024
【図２３】
2005037141.tif 000025
【図２４】
2005037141.tif 000026
【図２５】
2005037141.tif 000027
【図２６】
2005037141.tif 000028
【図２７】
2005037141.tif 000029
【図２８】
2005037141.tif 000030
【図２９】
2005037141.tif 000031
【図３０】
2005037141.tif 000032
【図３１】
2005037141.tif 000033
【図３２】
2005037141.tif 000034
【図３３】
2005037141.tif 000035
【図３４】
2005037141.tif 000036
【図３５】
2005037141.tif 000037
【図３６】
2005037141.tif 000038
【図３７】
2005037141.tif 000039
【図３８】
2005037141.tif 000040
【図３９】
2005037141.tif 000041
【図４０】
2005037141.tif 000042
【図４１】
2005037141.tif 000043
【図４２】
2005037141.tif 000044
【図４３】
2005037141.tif 000045
【図４４】
2005037141.tif 000046
【図４５】
2005037141.tif 000047
【図４６】
2005037141.tif 000048
【図４７】
2005037141.tif 000049
【図４８】
2005037141.tif 000050
【図４９】
2005037141.tif 000051
【図５０】
2005037141.tif 000052
【図５１】
2005037141.tif 000053
【図５２】
2005037141.tif 000054
【図５３】
2005037141.tif 000055
【図５４】
2005037141.tif 000056
【図５５】
2005037141.tif 000057
【図５６】
2005037141.tif 000058
【図５７】
2005037141.tif 000059
【図５８】
2005037141.tif 000060
【図５９】
2005037141.tif 000061